(57)【要約】【課題】第１基地局が保持する第１移動端末宛のパケットデータが第１移動端末に送信されない事態を防ぐとともに、第１移動端末宛のパケットデータが第１移動端末に到着するのが遅れてしまう事態を防止する。【解決手段】移動通信システムは、第１基地局からの信号の強度を基準にした第２基地局からの信号の強度の程度を示す強度程度値を算出する第１算出部２０５と、算出された強度程度値が、所定の強度程度値を越えるときに、優先送信要求を第１基地局に送信する送信部２０８と、優先送信要求に基づいて、第１移動端末以外の移動端末である第２移動端末に優先して、第１移動端末にパケットデータを送信する第１基地局の移動局側送信部とを有する。【選択図】　　　図２
2004129070.tif 000002
【特許請求の範囲】
【請求項１】
第１移動端末が、第１基地局の第１通信エリアから第２基地局の第２通信エリアに向けて移動中に、前記第１基地局との間でパケットデータ通信を行う移動通信システムであって、
前記第１移動端末は、
前記第１基地局からの信号の強度及び前記第２基地局からの信号の強度を一定間隔おきに計測する計測手段と、
前記計測手段により計測された前記第１基地局からの信号の強度と、前記第２基地局からの信号の強度とに基づいて、第１基地局からの信号の強度を基準にした第２基地局からの信号の強度の程度を示す強度程度値を算出する第１算出手段と、
前記第１基地局からの信号の強度と、前記第２基地局からの信号の強度とが同程度であることを示す第２の所定の強度程度値を、前記第１算出手段により算出された強度程度値が越えるときに、優先的にパケットデータを送信するように要求する旨を示す優先送信要求を第１基地局に送信する第１送信手段とを有し、
前記第１基地局は、
前記優先送信要求に基づいて、第１移動端末以外の移動端末である第２移動端末に優先して、前記第１移動端末にパケットデータを送信する第２送信手段を有することを特徴とする移動通信システム。
【請求項２】
前記第２送信手段は、前記第２移動端末宛のパケットデータを前記第２移動端末に送信する処理に優先して、前記第１移動端末宛のパケットデータを前記第１移動端末に送信する処理に、前記第２送信手段が有する送信リソースを割り当てることを特徴とする請求項１に記載の移動通信システム。
【請求項３】
前記第１移動端末は、
前記第１基地局からパケットデータを取得するパケット取得手段と、
前記パケット取得手段によりパケットデータが取得されたことを示す取得信号を送信する取得信号送信手段とを有し、
前記第１基地局は、
前記第２送信手段が第１移動端末宛にパケットデータを送信してから一定時間以内に、前記第１移動端末から取得信号が送られた場合には、前記取得信号を取得する取得信号取得手段を有し、
前記取得信号取得手段が前記取得信号を一定時間以内に取得できない場合、前記第２送信手段は、送信予定の前記第１移動端末宛のパケットデータを、前記第１移動端末に送信しないで、前記第２基地局に送信することを特徴とする請求項１又は２に記載の移動通信システム。
【請求項４】
前記第１移動端末は、複数存在し、
前記第１基地局は、
第１通信エリア内の複数の移動端末とそれぞれ対応づけられており、前記複数の移動端末宛へ送信される対象のパケットデータである送信対象パケットデータを１又は複数、それぞれ、記憶する複数の送信データ記憶手段と、
各送信対象パケットデータについて、それぞれ、送信データ記憶手段に記憶されている時間であるパケット記憶時間を管理する管理手段と、
複数の第１移動端末から優先送信要求を取得する優先送信要求取得手段と、
前記優先送信要求取得手段により複数の優先送信要求が取得された場合、前記複数の第１移動端末にそれぞれ対応する送信データ記憶手段に記憶されている１又は複数の送信対象パケットデータのうち最初に送信される送信対象パケットデータである送信予定パケットデータについてのパケット記憶時間を、前記管理手段から管理パケット記憶時間として、第１移動端末と対応づけて、取得する記憶時間取得手段と、
前記記憶時間取得手段により取得された複数の管理パケット記憶時間に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信することを判定する判定手段とを有し、
前記判定手段による判定結果に基づいて、前記第２送信手段は、所定の第１移動端末宛の送信予定パケットデータを前記所定の第１移動端末に送信するとともに、前記所定の第１移動端末以外の第１移動端末宛の送信予定パケットデータを第２基地局に送信することを特徴とする請求項１乃至３のうち、いずれか１つの請求項に記載の移動通信システム。
【請求項５】
前記第１基地局は、
第１通信エリア内の各移動端末から、データ通信品質の要求を取得する通信品質取得手段と、
前記優先送信要求取得手段により複数の優先送信要求が取得された場合、前記複数の第１移動端末から取得されたデータ通信品質の要求に基づいて、前記データ通信品質に対応する前記パケット記憶時間を、基準パケット記憶時間として、第１移動端末ごとに、算出する第２算出手段とを有し、
前記判定手段は、前記複数の第１移動端末に対応する管理パケット記憶時間と、前記複数の第１移動端末に対応する基準パケット記憶時間とを各々比較し、比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定することを特徴とする請求項４に記載の移動通信システム。
【請求項６】
前記パケットデータには、データ通信品質の要求が対応づけられており、
前記優先送信要求取得手段により複数の優先送信要求が取得された場合、前記複数の第１移動端末にそれぞれ対応する送信データ記憶手段に記憶されている送信予定パケットデータに関連づけられているデータ通信品質の要求を取得する通信品質取得手段と、
前記データ通信品質の要求に基づいて、前記データ通信品質に対応する前記パケット記憶時間を、基準パケット記憶時間として、送信予定パケットデータごとに算出する第２算出手段とを有し、
前記判定手段は、前記複数の第１移動端末に対応する管理パケット記憶時間と前記複数の第１移動端末宛の送信予定パケットデータに対応する基準パケット記憶時間とを各々比較し比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定することを特徴とする請求項４に記載の移動通信システム。
【請求項７】
通信エリア内に存在する複数の移動端末との間で、パケットデータ通信を行うとともに、制御局との間でパケットデータ通信を行う基地局であって、
前記複数の移動端末とそれぞれ対応づけられており、前記複数の移動端末宛へ送信される対象のパケットデータである送信対象パケットデータを１又は複数、それぞれ記憶する複数の送信データ記憶手段と、
移動中の移動端末である第１移動端末から、優先的にパケットデータを送信するように要求する旨を示す優先送信要求を取得する優先送信要求取得手段と、
前記優先送信要求取得手段により、前記優先送信要求が取得された場合、前記第１移動端末以外の移動端末である第２移動端末宛の送信対象パケットデータより、前記第１移動端末宛の送信対象パケットデータを優先して、送信データ記憶手段から取得するパケット取得手段と、
前記パケット取得手段により取得された順序に従って、各移動端末に送信対象パケットデータを送信する送信手段とを有することを特徴とする基地局。
【請求項８】
前記送信手段は、前記第２移動端末宛のパケットデータを前記第２移動端末に送信する処理に優先して、前記第１移動端末宛のパケットデータを前記第１移動端末に送信する処理に、前記送信手段が有する送信リソースを割り当てることを特徴とする請求項７に記載の基地局。
【請求項９】
前記送信手段が前記第１移動端末宛にパケットデータを送信してから一定時間以内に、前記第１移動端末がパケットデータを取得したことを示す取得信号が、前記第１移動端末から送られた場合、前記取得信号を取得する取得信号取得手段を有し、
前記取得信号取得手段が前記取得信号を一定時間以内に取得できない場合、前記送信手段は、送信予定の前記第１移動端末宛のパケットデータを、前記第１移動端末に送信しないで、制御局に送信することを特徴とする請求項７又は８に記載の基地局。
【請求項１０】
前記第１移動端末は、複数存在しており、
各送信対象パケットデータについて、それぞれ、送信データ記憶手段に記憶されている時間であるパケット記憶時間を管理する管理手段と、
前記優先送信要求取得手段により複数の優先送信要求が取得された場合、前記複数の第１移動端末にそれぞれ対応する送信データ記憶手段に記憶されている１又は複数の送信対象パケットデータのうち最初に送信される送信対象パケットデータである送信予定パケットデータについてのパケット記憶時間を、前記管理手段から管理パケット記憶時間として、第１移動端末と対応づけて、取得する記憶時間取得手段と、
前記記憶時間取得手段により取得された複数の管理パケット記憶時間に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、制御局に送信することを判定する判定手段とを有し、
前記判定手段による判定結果に基づいて、前記送信手段は、所定の第１移動端末宛の送信予定パケットデータを前記所定の第１移動端末に送信するとともに、前記所定の第１移動端末以外の第１移動端末宛の送信予定パケットデータを制御局に送信することを特徴とする請求項７乃至９のうち、いずれか１つの請求項に記載の基地局。
【請求項１１】
前記複数の移動端末から、データ通信品質の要求を取得する通信品質取得手段と、
前記優先送信要求取得手段により複数の優先送信要求が取得された場合、前記複数の第１移動端末から取得されたデータ通信品質の要求に基づいて、前記データ通信品質に対応する前記パケット記憶時間を、基準パケット記憶時間として、第１移動端末ごとに、算出する算出手段とを有し、
前記判定手段は、前記複数の第１移動端末に対応する管理パケット記憶時間と、前記複数の第１移動端末に対応する基準パケット記憶時間とを各々比較し、比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、制御局に送信すると判定することを特徴とする請求項１０に記載の基地局。
【請求項１２】
前記パケットデータには、データ通信品質の要求が対応づけられており、
前記優先送信要求取得手段により複数の優先送信要求が取得された場合、前記複数の第１移動端末にそれぞれ対応する送信データ記憶手段に記憶されている送信予定パケットデータに関連づけられているデータ通信品質の要求を取得する通信品質取得手段と、
前記データ通信品質の要求に基づいて、前記データ通信品質に対応する前記パケット記憶時間を、基準パケット記憶時間として、送信予定パケットデータごとに算出する算出手段とを有し、
前記判定手段は、前記複数の第１移動端末に対応する管理パケット記憶時間と前記複数の第１移動端末宛の送信予定パケットデータに対応する基準パケット記憶時間とを各々比較し比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、制御局に送信すると判定することを特徴とする請求項１０に記載の基地局。
【請求項１３】
第１基地局の第１通信エリアから第２基地局の第２通信エリアに向けて移動中に、前記第１基地局との間でパケットデータ通信を行う移動端末であって、
前記第１基地局からの信号の強度及び前記第２基地局からの信号の強度を一定間隔おきに計測する計測手段と、
前記計測手段により計測された前記第１基地局からの信号の強度と、前記第２基地局からの信号の強度とに基づいて、第１基地局からの信号の強度を基準にした第２基地局からの信号の強度の程度を示す強度程度値を算出する算出手段と、前記第１基地局からの信号の強度と、前記第２基地局からの信号の強度とが同程度であることを示す第２の所定の強度程度値を、前記算出手段により算出された強度程度値が越えるときに、優先的にパケットデータを送信するように要求する旨を示す優先送信要求を第１基地局に送信する送信手段とを有することを特徴とする移動端末。
【請求項１４】
前記第１基地局からパケットデータを取得するパケット取得手段と、
前記パケット取得手段によりパケットデータが取得されたことを示す取得信号を前記第１基地局に送信する取得信号送信手段とを有することを特徴とする請求項１３に記載の移動端末。
【請求項１５】
第１移動端末が、第１基地局の第１通信エリアから第２基地局の第２通信エリアに向けて移動中に、前記第１基地局との間でパケットデータ通信を行う移動通信方法であって、
前記第１基地局からの信号の強度及び前記第２基地局からの信号の強度を一定間隔おきに計測するステップと、
計測された前記第１基地局からの信号の強度と、前記第２基地局からの信号の強度とに基づいて、第１基地局からの信号の強度を基準にした第２基地局からの信号の強度の程度を示す強度程度値を算出するステップと、
前記第１基地局からの信号の強度と、前記第２基地局からの信号の強度とが同程度であることを示す所定の強度程度値を、算出された強度程度値が越えるときに、優先的にパケットデータを送信するように要求する旨を示す優先送信要求を第１基地局に送信するステップと、
前記優先送信要求に基づいて、第１移動端末以外の移動端末である第２移動端末に優先して、前記第１移動端末にパケットデータを送信する送信ステップとを有することを特徴とする移動通信方法。
【請求項１６】
第１通信エリア内の複数の移動端末宛へ送信される対象のパケットデータを、それぞれ、前記複数の移動端末に各々対応する送信データ記憶手段に記憶するステップと、
前記優先送信要求に基づいて、前記第２移動端末宛のパケットデータより、前記第１移動端末宛のパケットデータを優先して、送信データ記憶手段から取得するステップとを有し、
前記送信ステップは、前記パケット取得手段により取得された順序に従って、各移動端末宛のパケットデータを、それぞれ、前記各移動端末に送信することを特徴とする請求項１５に記載の移動通信方法。
【請求項１７】
前記送信ステップでは、前記第２移動端末宛のパケットデータを前記第２移動端末に送信する処理に優先して、前記第１移動端末宛のパケットデータを前記第１移動端末に送信する処理に、送信リソースが割り当てられることを特徴とする請求項１５又は１６に記載の移動通信方法。
【請求項１８】
前記送信リソースは、パケットデータが各移動端末に送信されるために必要なタイムスロットであることを特徴とする請求項１７に記載の移動通信方法。
【請求項１９】
前記送信リソースは、パケットデータが各移動端末に送信されるために必要な拡散符号情報であることを特徴とする請求項１７に記載の移動通信方法。
【請求項２０】
前記第１基地局からの信号の強度と、前記第２基地局からの信号の強度とが同程度であることを示すとともに、前記第２の所定の強度程度値よりも小さい第１の所定の強度値を、算出された強度程度値が越えるときに、その旨を所定の記憶手段に記憶するステップを有することを特徴とする請求項１５乃至１９のうち、いずれか１つの請求項に記載の移動通信方法。
【請求項２１】
前記第１基地局からパケットデータを前記第１移動端末が取得するステップと、
前記第１移動端末がパケットデータを取得したことを示す取得信号を送信するステップと、
前記送信ステップにより第１移動端末宛にパケットデータが送信されてから一定時間以内に、前記第１移動端末から取得信号が送られた場合には、前記取得信号を取得するステップと、
前記取得信号を一定時間以内に取得できない場合、送信予定の前記第１移動端末宛のパケットデータを、前記第１移動端末に送信しないで、前記第２基地局に送信するステップとを有することを特徴とする請求項１５乃至２０のうち、いずれか１つの請求項に記載の移動通信方法。
【請求項２２】
前記第１移動端末は、複数存在しており、
各パケットデータについて、それぞれ、送信データ記憶手段に記憶されている時間であるパケット記憶時間を管理手段が管理するステップと、
複数の第１移動端末から優先送信要求を取得するステップと、
複数の優先送信要求が取得された場合、前記複数の第１移動端末にそれぞれ対応する送信データ記憶手段に記憶されている１又は複数の送信対象のパケットデータのうち最初に送信されるパケットデータである送信予定パケットデータについてのパケット記憶時間を、前記管理手段から管理パケット記憶時間として、第１移動端末と対応づけて、取得するステップと、
取得された複数の管理パケット記憶時間に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定する判定ステップと、
前記判定ステップによる判定結果に基づいて、前記所定の第１移動端末宛の送信予定パケットデータを前記所定の第１移動端末に送信するとともに、前記所定の第１移動端末以外の第１移動端末宛の送信予定パケットデータを第２基地局に送信するステップとを有することを特徴とする請求項１５乃至２１のうち、いずれか１つの請求項に記載の移動通信方法。
【請求項２３】
第１通信エリア内の各移動端末から、データ通信品質の要求を取得するステップと、
複数の優先送信要求が取得された場合、前記複数の第１移動端末から取得されたデータ通信品質の要求に基づいて、前記データ通信品質に対応する前記パケット記憶時間を、基準パケット記憶時間として、第１移動端末ごとに、算出するステップとを有し、
前記判定ステップは、前記複数の第１移動端末に対応する管理パケット記憶時間と、前記複数の第１移動端末に対応する基準パケット記憶時間とを各々比較し、比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定することを特徴とする請求項２２に記載の移動通信方法。
【請求項２４】
前記パケットデータには、データ通信品質の要求が対応づけられており、
複数の優先送信要求が取得された場合、前記複数の第１移動端末にそれぞれ対応する送信データ記憶手段に記憶されている送信予定パケットデータに関連づけられているデータ通信品質の要求を取得するステップと、
前記データ通信品質の要求に基づいて、前記データ通信品質に対応する前記パケット記憶時間を、基準パケット記憶時間として、送信予定パケットデータごとに算出するステップとを有し、
前記判定ステップは、前記複数の第１移動端末に対応する管理パケット記憶時間と、前記複数の第１移動端末宛の送信予定パケットデータに対応する基準パケット記憶時間とを各々比較し比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定することを特徴とする請求項２２に記載の移動通信方法。
【発明の詳細な説明】
【０００１】
【発明の属する技術分野】
本発明は、移動端末がハンドオーバーする際における移動通信システム、基地局、移動端末、移動通信方法に関する。
【０００２】
【従来の技術】
従来より、移動端末は、移動中において、一定の条件下で、通信相手の基地局を他の基地局に切り替える（ハンドオーバー）。従来から、このハンドオーバーを行うための移動通信システムには、以下のようなものがあった。
【０００３】
先ず、従来においては、モバイルＩＰを用いた移動通信システムがある。図１２は、モバイルＩＰを用いた移動通信システムの概念を示す図である。この移動通信システムにおいては、ホームネットワーク３００と、外部ネットワーク３０１と、通信ネットワーク３０２とが、インターネット３０３を介して接続されている。
【０００４】
ホームネットワークは、ＨＡ（ホームエージェント）３１０及びルータ３１１を有する。外部ネットワーク３０１は、ＦＡ（フォーリンエージェント）３１２及びルータ３１３を有する。移動端末３２０は、移動することにより、通信相手をホームネットワーク３００内の装置から、外部ネットワーク３０１内の装置へと切り替える。通信ネットワーク３０２は、移動端末３２０と通信を行うＣＮ（通信端末装置）３３０及びルータ３２１を有する。
【０００５】
そして、この移動通信システムでは、移動端末３２０には、移動にかかわらず一定のアドレスを示すホームアドレス、移動に伴って変化する気付アドレス（Ｃａｒｅ　ｏｆ　ａｄｄｒｅｓｓ　：ＣｏＡ）が割り当てられる。この気付アドレスは、移動端末３２０の現在位置情報を示すものである。
【０００６】
移動端末３２０（Ｍｏｂｉｌｅ　Ｎｏｄｅ）が移動してハンドオーバ処理を行う場合の説明は、以下のとおりである。移動端末３２０は，移動することにより、現在位置を示すためのＣｏＡを、外部ネットワーク３０１内のＦＡ３１２から取得する。そして、移動端末３２０は、取得したＣｏＡをＨＡ３１０に通知する（Ｂｉｎｄｉｎｇ　Ｕｐｄａｔｅ）。
【０００７】
通知を受けたＨＡ３１０は、ＣＮ３３０から送られた移動端末３２０宛のパケットにカプセル化ヘッダを付加した後、ＦＡ３１２へ送る（ｔｕｎｎｅｌｉｎｇ）。上記パケットを取得したＦＡ３１２は、カプセル化ヘッダを取り除いた後、移動端末３２０に上記パケットを送る。
【０００８】
この移動通信システムでは、移動端末がハンドオーバを行う場合、リンクの切断・再接続のための時間、新しいＣｏＡ取得のための時間、Ｂｉｎｄｉｎｇ　ＵｐｄａｔｅをＨＡへ通知するための時間が生じてしまう。これにより、移動端末がハンドオーバを行う場合、ＨＡ３１０に存在する上記移動端末宛のパケットが上記移動端末に送信されない事態であるパケットロスが発生してしまう。
【０００９】
このパケットロスを改善するための移動通信システムとしては、ＦＭＩＰ（Ｆａｓｔ　Ｈａｎｄｏｖｅｒｓ　ｆｏｒ　Ｍｏｂｉｌｅ　ＩＰ）を用いた移動通信システムがある（例えば、非特許文献１参照）。ＦＭＩＰを用いた移動通信システムでは、移動端末が第１基地局から第２基地局へ接続を切り替える場合（即ち、移動端末がハンドオーバーを行う場合）、第１基地局は、保持している移動端末宛のパケットを第２基地局に転送している。これにより、移動端末がハンドオーバーを行う場合において、パケットロスの発生が低下される。
【００１０】
また、一般的に、移動通信システムにおいては、Ｍａｘ．Ｃ／Ｉ手法が用いられる。例えば、ＣＤＭＡ２０００におけるデータ通信技術であるＨＤＲ（Ｈｉｇｈ　Ｄａｔａ　Ｒａｔｅ）や、３．５世代の下りリンクのパケット伝送技術であるＨＳＤＰＡ（Ｈｉｇｈ　Ｓｐｅｅｄ　Ｄｏｗｎｌｉｎｋ　Ｐａｃｋｅｔ　Ａｃｃｅｓｓ）では、Ｍａｘ．Ｃ／Ｉ手法が用いられる（例えば、非特許文献２参照）。
【００１１】
このＭａｘ．Ｃ／Ｉ手法においては、基地局は、最もＣ／Ｉ（受信信号電力対干渉など、移動端末における受信品質と関係する値）の高い移動端末にパケットを送信している。このため、セル端にいる移動端末には、パケットが優先的に送信されない。即ち、パケットは、ハンドオーバを行っていない移動端末に、優先的に送信される。
【００１２】
【非特許文献１】
Ｇ．Ｄｏｍｍｅｔｙ，Ａ．Ｙｅｇｉｎ，Ｃ．Ｐｅｒｋｉｎｓ，Ｇ．Ｔｓｉｒｔｓｉｓ，Ｅｌ−Ｍａｌｋｉ　ａｎｄ　Ｍ．Ｋｈａｌｉｌ，
“Ｄｒａｆｔ−ＩＥＴＦ−Ｍｏｂｉｌｅ　ＩＰ−ｆａｓｔ−ＭＩＰｖ６−０４．ｔｘｔ”Ｉｎｔｅｒｎｅｔ，Ｍａｒ　２００２
【００１３】
【非特許文献２】
“Ｈｉｇｈ　Ｓｐｅｅｄ　Ｄｏｗｎｌｉｎｋ　Ｐａｃｋｅｔ　Ａｃｃｅｓｓ　Ｏｖｅｒａｌｌ　ＵＴＲＡＮ　Ｄｅｓｃｒｉｐｔｉｏｎ”
３ＧＰＰ　ＴＲ　２５．８５５ｖ５．０．０，　Ｓｅｐｔ　２００１
【００１４】
【発明が解決しようとする課題】
しかしながら、上述した従来技術には、以下のような問題があった。ＦＭＩＰを用いた移動通信システムでは、第１基地局は、移動端末宛のパケットを第２基地局に転送するので、この転送によるパケット遅延が生じてしまう。即ち、上記転送のための時間が生じるので、パケットが上記移動端末に到着するのが遅れてしまうことになる。このため、遅延時間が一定時間内と予め決められているリアルタイムデータの送信には、上記移動通信システムは、適切でなかった。
【００１５】
また、従来より、ＭＡ（Ｍｏｂｉｌｉｔｙ　Ａｇｅｎｔ）でバッファリングを行う移動通信システムがある。この移動通信システムにおいて、パケットロスの減少は可能であるが、バッファリングによるパケット遅延が生じてしまう。このため、上記移動通信システムも、上記リアルタイムデータの送信には、適切でなかった。
【００１６】
一方、Ｍａｘ．Ｃ／Ｉ手法においては、パケットは、ハンドオーバを行っていない移動端末に、優先的に送信されるので、リソースの使用効率は非常に高い。しかし、ハンドオーバを行う移動端末宛のパケットは、上記移動端末に優先的に送信されない。この結果、ハンドオーバを行う移動端末に送信されるデータの通信品質（例えば、遅延品質など；ＱｏＳ）が十分でないという問題があった。
【００１７】
本発明は、以上のような問題点に鑑みてなされたものであり、移動端末が第１基地局の通信エリアから第２基地局の通信エリアへ移動中において、ハンドオーバーを行う際に、第１基地局が保持する上記移動端末宛のパケットデータが上記移動端末に送信されない事態を防ぐとともに、上記移動端末宛のパケットデータが上記移動端末に到着するのが遅れてしまう事態を防止する移動通信システム、基地局、移動端末、移動通信方法を提供することを目的とする。
【００１８】
【課題を解決するための手段】
本発明は、上記課題を解決するためになされたものであり、第１移動端末が、第１基地局の第１通信エリアから第２基地局の第２通信エリアに向けて移動中に、前記第１基地局との間でパケットデータ通信を行う際に、前記第１基地局からの信号の強度及び前記第２基地局からの信号の強度を一定間隔おきに計測し、計測された前記第１基地局からの信号の強度と、前記第２基地局からの信号の強度とに基づいて、第１基地局からの信号の強度を基準にした第２基地局からの信号の強度の程度を示す強度程度値を算出し、前記第１基地局からの信号の強度と、前記第２基地局からの信号の強度とが同程度であることを示す所定の強度程度値を、算出された強度程度値が越えるときに、優先的にパケットデータを送信するように要求する旨を示す優先送信要求を第１基地局に送信し、前記優先送信要求に基づいて、第１移動端末以外の移動端末である第２移動端末に優先して、前記第１移動端末にパケットデータを送信することを特徴とするものである。
【００１９】
また、本発明は、上記発明において、第１通信エリア内の複数の移動端末宛へ送信される対象のパケットデータを、それぞれ、前記複数の移動端末に各々対応する送信データ記憶手段に記憶し、前記優先送信要求に基づいて、前記第２移動端末宛のパケットデータより、前記第１移動端末宛のパケットデータを優先して、送信データ記憶手段から取得し、前記パケット取得手段により取得された順序に従って、各移動端末宛のパケットデータを、それぞれ、前記各移動端末に送信することが好ましい。
【００２０】
また、本発明は、第１移動端末以外の移動端末である第２移動端末に優先して、前記第１移動端末にパケットデータを送信する場合において、前記第２移動端末宛のパケットデータを前記第２移動端末に送信する処理に優先して、前記第１移動端末宛のパケットデータを前記第１移動端末に送信する処理に、送信リソースが割り当てられることが好ましい。
【００２１】
送信リソースとしては、例えば、パケットデータが各移動端末に送信されるために必要なタイムスロットである。また、送信リソースとしては、例えば、パケットデータが各移動端末に送信されるために必要な拡散符号情報である。
【００２２】
また、本発明は、上記発明において、前記第１基地局からの信号の強度と、前記第２基地局からの信号の強度とが同程度であることを示すとともに、前記第２の所定の強度程度値よりも小さい第１の所定の強度値を、算出された強度程度値が越えるときに、その旨を所定の記憶手段に記憶することもできる。
【００２３】
また、本発明は、上記発明において、前記第１基地局からパケットデータを前記第１移動端末が取得し、前記第１移動端末がパケットデータを取得したことを示す取得信号を送信し、第１移動端末宛にパケットデータが送信されてから一定時間以内に、前記第１移動端末から取得信号が送られた場合には、前記取得信号を取得し、前記取得信号を一定時間以内に取得できない場合、送信予定の前記第１移動端末宛のパケットデータを、前記第１移動端末に送信しないで、前記第２基地局に送信することを特徴とするものである。
【００２４】
また、本発明は、前記第１移動端末が複数の場合にも適用できる。本発明は、上記発明において、前記第１移動端末は、複数存在しており、各パケットデータについて、それぞれ、送信データ記憶手段に記憶されている時間であるパケット記憶時間を管理手段が管理し、複数の第１移動端末から優先送信要求を取得し、複数の優先送信要求が取得された場合、前記複数の第１移動端末にそれぞれ対応する送信データ記憶手段に記憶されている１又は複数の送信対象のパケットデータのうち最初に送信されるパケットデータである送信予定パケットデータについてのパケット記憶時間を、前記管理手段から管理パケット記憶時間として、第１移動端末と対応づけて、取得し、取得された複数の管理パケット記憶時間に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定し、判定結果に基づいて、前記所定の第１移動端末宛の送信予定パケットデータを前記所定の第１移動端末に送信するとともに、前記所定の第１移動端末以外の第１移動端末宛の送信予定パケットデータを第２基地局に送信することを特徴とするものである。
【００２５】
また、本発明は、上記発明において、第１通信エリア内の各移動端末から、データ通信品質の要求を取得し、複数の優先送信要求が取得された場合、前記複数の第１移動端末から取得されたデータ通信品質の要求に基づいて、前記データ通信品質に対応する前記パケット記憶時間を、基準パケット記憶時間として、第１移動端末ごとに、算出し、前記複数の第１移動端末に対応する管理パケット記憶時間と、前記複数の第１移動端末に対応する基準パケット記憶時間とを各々比較し、比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定することもできる。
【００２６】
本発明は、上記発明において、前記パケットデータには、データ通信品質の要求が対応づけられており、複数の優先送信要求が取得された場合、前記複数の第１移動端末にそれぞれ対応する送信データ記憶手段に記憶されている送信予定パケットデータに関連づけられているデータ通信品質の要求を取得し、前記データ通信品質の要求に基づいて、前記データ通信品質に対応する前記パケット記憶時間を、基準パケット記憶時間として、送信予定パケットデータごとに算出し、前記複数の第１移動端末に対応する管理パケット記憶時間と、前記複数の第１移動端末宛の送信予定パケットデータに対応する基準パケット記憶時間とを各々比較し比較結果に基づいて、前記複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、第２基地局に送信すると判定することもできる。
【００２７】
【発明の実施の形態】
図１は、実施の形態１の移動通信システムの構成を示す図である。移動通信システムは、複数の基地局１と、各基地局１の通信エリア内に存在し上記各基地局１と通信を行う１又は複数の移動端末２と、複数の基地局１と接続された制御局（図示せず）とを有する。
【００２８】
（移動端末の構成）
図２は、本実施の形態の移動端末２の構成を示す図である。移動端末２は、基地局１からの信号を取得するとともに、基地局１宛に信号を送信するアンテナ２００と、サーキュレータ２０１と、受信部２０２と、信号分離部２０３と、計測部２０４と、第１算出部２０５と、電力程度値判定部２０６と、記憶部２０７と、送信部２０８と、各部を制御する制御部２０９とを有する。
【００２９】
なお、アンテナ２００は、後述する報知チャネルを介して、報知チャネル信号を取得するとともに、データ通信チャネルを介して、パケットデータ信号などを取得する。サーキュレータ２０１は、アンテナ２００を介して、基地局１から送信されてきた信号を受信部２０２に送るとともに、送信部２０８から送られた基地局１宛の信号をアンテナ２００に送る。
【００３０】
受信部２０２は、受信バッファ２０２ａと復調部２０２ｂと復号化部２０２ｃとを有する。受信バッファ２０２ａは、サーキュレータ２０１から送られた信号を一時的に保持した後、復調部２０２ｂに送る。復調部２０２ｂは、受信バッファ２０２ａから送られた信号の復調処理を行い、復号化部２０２ｃに送る。復号化部２０２ｃは、復調部２０２ｂから送られた信号の復号化処理を行い、信号分離部２０３に送る。
【００３１】
信号分離部２０３は、送られた信号に基づいて、報知チャネル信号（パイロット信号）を、計測部２０４に送るとともに、報知チャネル信号以外のデータ信号を制御部２０９に送る。具体的には、基地局１から送信される報知チャネル信号には、基地局１を識別するための情報である基地局識別情報及び報知チャネル信号である旨が与えられている。そして、信号分離部２０３は、復号化部から送られた信号について、報知チャネル信号である旨が与えられている場合には、上記信号を計測部２０４に送る。
【００３２】
一方、信号分離部２０３は、復号化部２０２ｃから送られた信号に、報知チャネル信号である旨が与えられていない場合には、上記信号を制御部２０９に送る。制御部２０９は、送られてきた信号（例えば、画像等のパケットデータ信号など）に与えられている送信元アドレス情報に基づいて、現在、移動端末２が通信を行っている基地局１の基地局識別情報を第１算出部２０５に送る。
【００３３】
計測部２０４は、送られた報知チャネル信号に基づいて、報知チャネル信号の強度を計測する。一例として、計測部２０４が報知チャネル信号の電力値を計測する場合の説明は、以下のとおりである。そして、計測部２０４は、計測した報知チャネル信号の電力値を、報知チャネル信号に与えられた基地局識別情報と対応づける。
ここで、各基地局１から移動端末２に報知チャネル信号が送信されてくるタイミングは、ほぼ同じであるとする。このため、計測部２０４は、移動端末２の周辺の各基地局１から報知チャネル信号をほぼ同じタイミングで取得することになる。そして、計測部２０４は、最も大きい電力値に対応する報知チャネル信号の電力値と、２番目に大きい電力値に対応する報知チャネル信号の電力値を第１算出部２０５に送る。そして、計測部２０４は、送られてきた各報知チャネル信号について、一定間隔（各報知チャネル信号が送られてきたタイミング間隔）おきに、上述の処理を行う。
【００３４】
また、移動端末２が第１基地局の通信エリアから第２基地局の通信エリアに移動中であって、ハンドオーバーを行う場合、計測部２０４は、第１基地局からの報知チャネル信号の電力値（強度）、第２基地局からの報知チャネル信号の電力値を一定間隔おきに計測することになる。そして、計測部２０４は、第１基地局からの報知チャネル信号の電力値（強度）及び第２基地局からの報知チャネル信号の電力値を第１算出部２０５に送ることになる。なお、計測部２０４は、報知チャネル信号以外の信号の電力値（強度）を計測するようにしてもよい。
【００３５】
第１算出部２０５は、制御部２０９から送られた基地局識別情報（以下、第１送出基地局１識別情報）を取得する。この第１送出基地局識別情報に対応する第１基地局は、移動端末２が現在通信を行っている相手の基地局１である。そして、第１算出部２０５は、計測部２０４から送られた２つの電力値に各々対応づけられている２つの基地局識別情報（以下、第２送出基地局１識別情報）を取得する。
【００３６】
そして、第１算出部２０５は、計測部２０４から送られてきた２つの電力値に基づいて、第１送出基地局識別情報と一致する第２送出基地局識別情報に対応する電力値（以下、第１電力値）を基準にしたときの他の第２送出基地局識別情報に対応する電力値（以下、第２電力値）の程度を示す電力程度値を算出する。
【００３７】
具体的には、第１電力値をＰ１、第２電力値をＰ２とすると、第１算出部２０５は、電力程度値として、Ｐ２／Ｐ１又はＰ２−Ｐ１を算出する。そして、第１算出部２０５は、算出した電力程度値を電力程度値判定部２０６に送る。
【００３８】
また、移動端末２が第１基地局の通信エリアから、第２基地局の通信エリアに移動中であって、ハンドオーバーを行う場合、第１算出部２０５は、計測された第１基地局からの報知チャネル信号の電力値（強度）である第１電力値と、第２基地局１からの報知チャネル信号の電力値である第２電力値とに基づいて、第１電力値を基準にした第２電力値の程度を示す電力程度値（強度程度値）を算出することになる。
【００３９】
電力程度値判定部２０６は、第１の所定の電力程度値（強度程度値）と、第２の所定の電力程度値と、第３の所定の電力程度値とを保持している。第１の所定の電力程度値とは、第１電力値と第２電力値とが同程度であることを示すとともに、第２所定の電力値より小さい値をいう。具体的には、第１の所定の電力値は、例えば、以下のようにして定められる。所定の実験等により、移動端末２がハンドオーバーする可能性があるが、ハンドオーバーが行われるとは限らない場合に、第１算出部２０５により算出された電力程度値の平均値が、第１の所定の電力程度値である。例えば、第１の所定の電力程度値としては、Ｐ２／Ｐ１＝０．９（−０．５ｄＢ）とすることもできる。
【００４０】
第２の所定の電力程度値は、第１電力値と第２電力値とが同程度であることを示す値である。具体的には、第２の所定の電力値は、例えば、以下のようにして定められる。所定の実験等により、移動端末２がハンドオーバーを開始したといえる場合において、第１算出部２０５により算出された電力程度値の平均値が、第２の所定の電力程度値である。例えば、第２の所定の電力程度値としては、Ｐ２／Ｐ１＝１．０（０ｄＢ）とすることもできる。
【００４１】
第３の所定の電力程度値とは、第１電力値と第２電力値とが同程度であることを示すとともに、第２の所定の電力値より大きい値である。具体的には、第３の所定の電力値は、例えば、以下のようにして定められる。所定の実験等により、移動端末２がハンドオーバーを完了したといえる場合において、第１算出部２０５により算出された電力程度値の平均値が、第３の所定の電力程度値である。例えば、第３の所定の電力程度値としては、Ｐ２／Ｐ１＝１．１（０．４ｄＢ）とすることもできる。
【００４２】
電力程度値判定部２０６は、第１算出部２０５から送られた電力程度値が、第１の所定の電力程度値よりも大きく、第２の所定の電力値より小さい場合、その旨を示す第１判定情報を制御部２０９に送る。この際、第１電力値に対応する基地局識別情報（以下、第１基地局識別情報）、第２電力値に対応する基地局識別情報（以下、第２基地局識別情報）も制御部２０９に送られる。
【００４３】
電力程度値判定部２０６は、第１算出部２０５から送られた電力程度値が、第２の所定の電力程度値よりも大きく、第３の所定の電力値より小さい場合、その旨を示す第２判定情報を制御部２０９に送る。この際、第１基地局識別情報、第２基地局識別情報も制御部２０９に送られる。
【００４４】
電力程度値判定部２０６は、第１算出部２０５から送られた電力程度値が、第３の所定の電力程度値よりも大きい場合、その旨を示す第３判定情報を制御部２０９に送る。この際、第１基地局識別情報、第２基地局識別情報も制御部２０９に送られる。
【００４５】
制御部２０９は、優先送信要求生成機能を有する。制御部２０９の具体的な動作は、以下のとおりである。制御部２０９は、電力程度値判定部２０６から、第１判定情報を取得すると、記憶部２０７に記憶させる。この際、制御部２０９は、第１基地局識別情報、第２基地局識別情報も上記第１判定情報に対応づけて、記憶部２０７に記憶させる。
【００４６】
そして、再度、電力程度値判定部２０６から第１判定情報を取得した制御部２０９は、上記第１判定情報に対応する第１基地局識別情報、第２基地局識別情報が、各々、既に記憶部２０７に記憶されている第１判定情報に対応する第１基地局１識別情報、第２基地局１識別情報と一致するか否かを判定する。一致すると制御部２０９が判定した場合、制御部２０９は、上記第１判定情報を記憶部２０７に送らない。
【００４７】
制御部２０９は、電力程度値判定部２０６から、第２判定情報を取得すると、優先送信要求（ハンドオーバユーザ優先処理要求）を生成する。この優先送信要求は、第１基地局に対して、優先的に、パケットデータを送信するように要求する旨である。また、制御部２０９は、優先送信要求に、第１基地局識別情報及び第２基地局識別情報を対応づける。そして、制御部２０９は、優先送信要求を、送信部２０８へ送る。そして、制御部２０９は、優先送信要求をした第１基地局識別情報及び第２基地局識別情報を保持する。
【００４８】
そして、再度、電力程度値判定部２０６から第２判定情報を取得した制御部２０９は、上記第２判定情報に対応する第１基地局識別情報、第２基地局識別情報が、各々、保持している第１基地局識別情報、第２基地局識別情報と一致するか否かを判定する。一致すると制御部２０９が判定した場合、制御部２０９は、再度優先送信要求を生成しない。
【００４９】
制御部２０９は、電力程度値判定部２０６から、第３判定情報を取得すると、ハンドオーバー完了の旨（第１基地局から第２基地局に接続を切り替えた旨）を生成する。そして、制御部２０９は、上記旨に、第１基地局識別情報及び第２基地局識別情報を対応づける。そして、制御部２０９は、上記旨を、送信部２０８へ送る。
【００５０】
また、制御部（パケット取得部）は、優先送信要求を取得した第１基地局１から、受信部２０２等を介して、パケットデータを取得する。そして、制御部２０９は、パケットデータを取得したことを示す取得情報を、パケットデータごとに生成する。そして、制御部２０９は、取得情報に、宛先情報及び送信元情報を与える。宛先情報とは、上記パケットデータに対応づけられた基地局識別情報である。送信元情報とは移動端末２のアドレス情報である。そして、制御部２０９は、取得情報を送信部２０８に送る。
【００５１】
送信部２０８は、符号化部２０８ａ、変調部２０８ｂ、送信バッファ２０８ｃを有する。符号化部２０８ａは、制御部２０９から送られた各種のデータに対して、符号化処理を行い、変調部２０８ｂへ送る。変調部２０８ｂは、符号化部２０８ａから送られたデータに対して変調処理を行い、変調処理を行った信号を受信バッファ２０２ａに送る。受信バッファ２０２ａは、送られた信号を一時的に保持した後、サーキュレータ２０１に送る。
【００５２】
この送信部２０８は、優先送信要求を示す信号を、上記第１基地局宛に送信する第１送信機能を有する。また、送信部２０８は、取得情報を示す取得信号を、上記第１基地局宛に送信する取得信号送信機能を有する。
【００５３】
（基地局１の構成）
図３は、本実施の形態の基地局１の構成を示す図である。なお、本実施の形態で示す基地局（上述した第１基地局、第２基地局など）は、全て同じ構成である。
【００５４】
基地局１は、各移動端末２からの信号を取得するとともに各移動端末２宛の信号を送信するアンテナ１００と、サーキュレータ１０１と、移動端末側受信部１０２と、キュー部１０３と、キュー部１０３を制御又は管理するするキュー制御部１０４と、送信先判定部１０５と、移動端末側送信部１０６と、制御局側受信部１０７と、制御局側送信部１０８と、各部を制御する制御部１０９とを有する。
【００５５】
なお、アンテナ１００は、報知チャネルを介して、報知チャネル信号を各移動端末２に送信するとともに、データ通信チャネルを介して、パケットデータ信号などを各移動端末２に送信する。サーキュレータ１０１は、アンテナ１００を介して、各移動端末２から送信されてきた信号を移動端末側受信部１０２に送るとともに、移動端末側送信部１０６から送られてきた各移動端末宛の信号をアンテナ１００に送る。
【００５６】
移動端末側受信部１０２は、受信バッファ１０２ａと復調部１０２ｂと復合化部１０２ｃとを有する。各部の機能は、各々、移動端末２の受信バッファ２０２ａ、復調部２０２ｂ、復号化部２０２ｃの機能と同じである。そして、復号化部１０２ｃは、復調部２０２ｂから送られた信号の復号化処理を行い、制御部２０９に送る。
【００５７】
キュー部１０３（送信データ記憶部）は、複数のキュー１０３ａ，１０３ｂ．．を有する。各キュー１０３ａ，１０３ｂ．．は、それぞれ１又は複数のパケットデータを記憶できるように構成されている。各キューには、移動端末２に送信される対象のパケットデータが記憶される。
【００５８】
キュー制御部１０４は、移動端末側受信部１０２から送られた通信チャネル確立信号を取得する。そして、キュー制御部１０４は、基地局１との間で、パケットデータ通信用の通信チャネルを確立している移動端末２のアドレス情報を管理する。そして、キュー制御部１０４は、各移動端末２のアドレス情報と、各キューの識別情報との対応関係を管理している。これにより、各キュー（送信データ記憶部）は、基地局１の通信エリア内の複数の移動端末２とそれぞれ対応づけられていることになる。
【００５９】
また、キュー制御部１０４は、制御部１０９から送られたパケットデータの宛先アドレス情報を取得する。そして、キュー制御部１０４は、上記宛先アドレス情報に対応するキューに、パケットデータを記憶させる。この際、キュー制御部１０４は、パケットデータの記憶位置情報（キュー内の記憶位置情報）を管理する。そして、キュー制御部１０４は、キューの先頭記憶位置からパケットデータを取り出すと、上記先頭記憶位置に、次の記憶位置に記憶されていたパケットデータを記憶させる。そして、キュー制御部１０４は、上記次の記憶位置に、更に次の記憶位置の記憶されていたパケットデータを記憶させる。このようにして、キュー制御部１０４は、キューからパケットデータを取りだしたとき、キューに記憶されているパケットデータの記憶位置を先の記憶位置にする。
【００６０】
キュー制御部１０４は、各キューから、先頭の記憶位置に記憶されているパケットデータを取得すると、送信先判定部１０５に送る。この際、キュー制御部１０４は、複数のキューに対して、順番に、パケットデータを取得し、送信先判定部１０５に送っていく。図４は、キュー制御部１０４の取得動作を説明するための概念図である。
【００６１】
例えば、キューＲ１、Ｒ２、Ｒ３にパケットデータが記憶されている場合、キュー制御部１０４は、キューＲ１、Ｒ２、Ｒ３．の順番でパケットデータを取得していく。なお、キューＲ１には、移動端末ＭＳ１が対応づけられており、キューＲ２には、移動端末ＭＳ２が対応づけられており、キューＲ３には、移動端末ＭＳ３が対応づけられている。そして、キュー制御部１０４は、全てのキューからパケットデータを取得したら、また、キューＲ１からパケットデータを取得していく（図４の（ａ）方式）。なお、途中のキューにパケットデータが記憶されていない場合には、キュー制御部１０４は、そのキューをとばして、次のキューからパケットデータを取得していく。
【００６２】
そして、キュー制御部１０４は、制御部１０９から優先指示情報（後述する）を取得した場合、優先指示情報に対応づけられた移動端末２のアドレス情報を取得する。そして、キュー制御部１０４は、優先指示情報に基づいて、優先指示情報に対応づけられた移動端末（第１移動端末）宛のパケットデータを、上記移動端末以外の移動端末（第２移動端末）宛のパケットデータに優先して、キューから取得する。
【００６３】
具体的には、以下のとおりである。キュー制御部１０４は、先ず、優先指示情報に対応づけられた移動端末２の上記アドレス情報に対応するキューから、優先してパケットデータを取得する。そして、キュー制御部１０４は、他のキューから順番にパケットデータを取得する。
【００６４】
例えば、キュー制御部１０４は、キューＲ１、キューＲ２、キューＲ３の順番でパケットデータを取得している場合において、キューＲ１からパケットデータを取得し送信先判定部１０５に送った時点で、優先指示情報を取得したとき、以下の処理を行う。優先指示情報に対応づけられた移動端末２のアドレス情報に基づいて、キュー制御部１０４は、上記アドレス情報に対応するキュー識別情報を取得する。ここでは、上記キュー識別情報に対応するキューは、キューＲ３だと仮定する。キュー制御部１０４は、キューＲ３，Ｒ１，Ｒ２、Ｒ３．．．の順番で、パケットデータを取得し、送信先判定部１０５に送っていく（図４の（ｂ）方式）。
【００６５】
また、キュー制御部１０４は、優先指示情報に対応づけられた移動端末２のアドレス情報に対応するキューから、優先してパケットデータを取得する処理を以下のように行うこともできる。例えば、キュー制御部１０４は、キューＲ１、Ｒ２、Ｒ３の順番でパケットデータを取得している場合において、キューＲ１からパケットデータを取得し送信先判定部１０５に送った時点で、優先指示情報を取得したとき、以下の処理を行う。キュー制御部１０４は、上記アドレス情報に対応するキュー識別情報を取得する。ここでは、上記キュー識別情報に対応するキューは、キューＲ３だと仮定する。
【００６６】
この際、キュー制御部１０４は、キューＲ３に記憶されている全てのパケットデータを取得し送信先判定部１０５に送る。そして、キュー制御部１０４は、キューＲ３にパケットデータが記憶されていないことを判断した場合、キューＲ１、Ｒ２からパケットデータを取得し送信先判定部１０５に送る。その後、キュー制御部１０４は、キューＲ１、Ｒ２の順番で、パケットデータを取得していく（図４の（ｃ）方式）。
【００６７】
この場合には、優先指示情報に対応づけられていない移動端末２宛のデータ送信処理に優先して、優先指示情報に対応づけられた移動端末２宛のデータ送信処理に対して、移動端末側送信部１０６の有する送信リソースが割り当てられることになる。
【００６８】
キュー制御部１０４は、優先指示情報に対応づけられた移動端末２に関連するキューにパケットデータが記憶されていなくなったら、その旨を制御部１０９に送る。制御部１０９は、移動端末側送信部１０６等を介して、上記その旨を第１移動端末に送信する。
【００６９】
制御部１０９は、移動端末側受信部１０２から優先送信要求を取得する。そして、制御部１０９は、優先送信要求に基づいて、「優先送信要求に対応づけられた移動端末２宛のパケットデータを優先的に取得し送信先判定部１０５に送ること」を指示することを示す優先指示情報をキュー制御部１０４に送る。この際、制御部１０９は、優先指示情報に、上記移動端末２のアドレス情報を対応づける。
【００７０】
そして、制御部１０９は、キュー制御部１０４から、優先指示情報に対応づけられた移動端末２に関連するキューにパケットデータが記憶されていなくなった旨を取得した場合、優先指示情報の解除の旨をキュー制御部１０４に送る。キュー制御部１０４は、優先指示情報に基づいた動作を中止する。そして、キュー制御部１０４は、各移動端末２のアドレス情報と、各キューの識別情報との対応関係を書き換える。そして、キュー制御部１０４は、複数のキューに対して、順番に、パケットデータを取得し、送信先判定部１０５に送る。
【００７１】
また、制御部１０９は、現在時刻を管理する機能を有する。そして、制御部１０９は、後述する第１送信バッファの動作を管理する。具体的には、第１送信バッファは、サーキュレータ１０１に、パケットデータを送るとともに、パケットデータに対応づけられた宛先の移動端末アドレス情報を制御部１０９に送る。制御部１０９は、送られてきた移動端末のアドレス情報のうち、優先送信要求に対応する第１移動端末のアドレス情報を取得した時刻を送出時刻として取得する。
【００７２】
また、制御部１０９は、優先送信要求に対応づけられた移動端末から送られた取得信号を取得する機能を有する。
【００７３】
そして、制御部１０９は、上記送出時刻と、現在時刻とに基づいて、送出時刻から一定時間内に、移動端末側受信部１０２から取得信号を取得したか否かを判定する。送出時刻から一定時間（例えば、２０ｍｓ）内に、移動端末側受信部１０２から取得信号を取得した場合には、制御部１０９は、送信先判定部１０５に対して、特に指示情報を与えない。
【００７４】
一方、送出時刻から一定時間内に、移動端末側受信部１０２から取得信号を取得しなかった場合には、制御部１０９は、以下の処理を行う。なお、送出時刻から一定時間内に、移動端末側受信部１０２から取得信号を取得しなかった場合とは、優先送信要求を送信した移動端末２が高速で移動しているような場合である。優先送信要求を送信した移動端末２が通常速度で移動しているような場合には、制御部１０９は、送出時刻から一定時間内に、移動端末側受信部１０２から取得信号を取得できるといえる。
【００７５】
制御部１０９は、優先送信要求に対応づけられた移動端末アドレス情報及び他の基地局の識別情報を取得する。そして、制御部１０９は、送信先判定部１０５に対して、以下の転送指示情報を送る。この転送指示情報とは、送信先判定部１０５に対して、上記移動端末アドレス情報に対応する移動端末２宛のパケットデータを、上記他の基地局１宛に転送するように指示する情報である。この転送指示情報には、上記移動端末のアドレス情報及び上記他の基地局の識別情報も含まれる。
【００７６】
なお、制御部１０９は、優先指示情報に対応づけられた移動端末２に関連するキューにパケットデータが記憶されていなくなった旨を取得した後、上記パケットデータが第１送信バッファからサーキュレータに送られなくった場合、取得信号を取得したか否かを判定する処理も中止する。
【００７７】
また、制御部１０９は、報知チャネル情報を生成する機能を有する。この報知チャネル情報とは、移動端末２との間で通信を行うために必要な情報を示すものである。制御部１０９は、報知チャネル情報を移動端末側送信部１０６に送る。
【００７８】
送信先判定部１０５は、転送指示情報を取得していない場合、キュー制御部１０４から送られてきたパケットデータをそのまま移動端末側送信部１０６へ送る。この際、送信先判定部１０５は、キュー制御部１０４から送られた順序に従って、パケットデータを移動端末側送信部１０６に送る。
【００７９】
送信先判定部１０５は、制御部１０９から転送指示情報を取得した場合、以下の処理を行う。送信先判定部１０５は、送られたパケットデータの宛先アドレス情報を取得する。そして、送信先判定部１０５は、上記宛先アドレス情報が、転送指示情報に含まれる移動端末アドレス情報であると判定した場合には、パケットデータに対して、上記他の基地局の識別情報を与える。そして、送信先判定部１０５は、上記パケットデータを制御局側送信部１０８に送る。
【００８０】
一方、送信先判定部１０５は、パケットデータの宛先アドレス情報が、転送指示情報に含まれる移動端末２のアドレス情報でないと判定した場合には、上記パケットデータをそのまま移動端末側送信部１０６に送る。
【００８１】
また、送信先判定部は、以下のようにして、転送指示情報に基づいた処理の解除を行う。キュー制御部１０４は、優先送信要求に対応する移動端末に関連するキューから全てパケットデータを取得したか否かを判定する。取得したと判定した場合には、その旨が制御部１０９に送られる。制御部１０９は、転送指示情報の解除の旨を送信先判定部１０５に送る。送信先判定部１０５は、上記解除の旨に基づいて、転送指示情報に基づいて処理の解除を行う。
【００８２】
移動端末側送信部１０６は、符号化部１０６ａ、変調部１０６ｂ、送信バッファ１０６ｃを有する。送信バッファ１０６ｃは、第１送信バッファ（図示せず）及び第２送信バッファ（図示せず）を有する。符号化部１０６ａは、送られた各種のデータに対して、符号化処理を行い、変調部１０６ｂへ送る。変調部１０６ｂは、符号化部１０６ａから送られたデータに対して変調処理を行い、変調処理を行った信号を送信バッファ１０６ｃに送る。この際、変調部１０６ｂは、パケットデータに対して変調処理をした信号は、第１送信バッファに送り、報知チャネル情報に対して、変調処理をした信号は、第２送信バッファに送る。
【００８３】
第１送信バッファは、パケットデータ信号を一時的に保持した後、送られた順序に従って、サーキュレータ１０１を介してアンテナ１００に送る。アンテナ１００は、データ通信チャネル（データ通信用共通チャネル）を介して、送られた順序に従って、パケットデータ信号を各移動端末２に対して、送信する。
【００８４】
これにより、移動端末側送信部１０６は、キュー制御部１０４により取得された順序に従って、各移動端末にパケットデータを送信することになる。このため、移動端末側送信部１０６は、優先送信要求を送信しない移動端末（第２移動端末）に優先して、優先送信要求を送信した移動端末（第１移動端末）にパケットデータを送信することになる。
【００８５】
第２送信バッファは、報知チャネル信号を一時的に保持した後、サーキュレータ１０１を介してアンテナ１００に送る。アンテナ１００は、報知チャネルを介して、各移動端末２に対して、報知チャネル信号を送信する。なお、移動端末側送信部１０６及び制御局側送信部１０８は、１つの送信部として構成することも可能である。
【００８６】
制御局側送信部１０８は、送信先判定部１０５から送られてきたパケットデータを制御局に送信する。また、制御局側送信部１０８は、制御部１０９から送られたパケットデータを制御局に送信する。制御局は、上記パケットデータを、上記他の基地局宛に送信する。
【００８７】
制御局側受信部１０７は、制御局から送られてきた各移動端末２宛のパケットデータなど、各種のデータを受信し、制御部１０９へ送る。
【００８８】
従って、移動端末側送信部１０６の第１送信バッファがパケットデータを送信してから一定時間内に、制御部１０９が取得信号を取得できない場合、移動端末側送信部１０６は、優先送信要求を送信した移動端末２宛のパケットデータを、上記移動端末２宛に送信しないことになる。この場合、制御局側送信部１０８が、上記パケットデータを上記他の基地局１宛に送信することになる。
【００８９】
なお、優先送信要求は、第１基地局１を介して、制御局にも送られる。制御局は、優先送信要求に基づいて、優先送信要求をした移動端末２の位置を監視し、上記移動端末２がハンドオーバーすると判断したとき、上記移動端末２宛のパケットデータは、第１基地局１ではなく第２基地局１に送る。これにより、優先送信要求をした移動端末２が通常速度で移動してハンドオーバーを完了するまでの間に、第１基地局１は、保持している上記移動端末２宛のパケットデータを全て、上記移動端末２に送信することができる。
【００９０】
（移動通信システムによる移動通信方法）
上述した構成を有する移動通信システムを用いた移動通信方法の説明は、以下のとおりである。例えば、ある移動端末２（以下、本実施の形態では、第１移動端末２という）が、第１基地局１の第１通信エリアから、第２基地局１の第２通信エリアに向けて移動する場合についての説明は、以下のとおりである。
【００９１】
先ず、全ての基地局から、各移動端末宛に報知チャネル信号が送られる。
【００９２】
（１）基地局１によるパケットデータの送信処理
この送信処理は、全ての基地局１において行われる。また、制御局側受信部１０７から各移動端末２宛のパケットデータが制御部１０９に送られる。制御部１０９は、各移動端末２宛のパケットデータをキュー制御部１０４に送る。キュー制御部１０４は、各パケットデータを、パケットデータの宛先の移動端末２に対応するキューに記憶させる。
【００９３】
そして、キュー制御部１０４は、各キューから、先頭記憶位置に記憶されているパケットデータを取得し、送信先判定部１０５に送る。この際、キュー制御部１０４は、複数のキューに対して、順番にパケットデータを取得し、送信先判定部１０５に送っていく。
【００９４】
送信先判定部１０５は、送られてきたパケットデータを、送られてきた順序に従って、移動端末側送信部１０６、サーキュレーター１０１を介して、アンテナ１００に送る。アンテナ１００は、送られてきた順序に従って、データ通信チャネルを介して、パケットデータ信号を各移動端末２に送る。
【００９５】
（２）第１移動端末２における電力程度値の判定処理
図５は、上記判定処理を説明するためのフローチャート図である。また、図６は、上記判定処理、後述の（３）の処理を説明するための補足図である。なお、本判定処理においては、移動端末２が、第１基地局から第２基地局に通信相手を切り替えるまでの説明が行われる。
【００９６】
第１移動端末２のアンテナ２００は、データ通信チャネルを介して、パケットデータ信号を取得する。パケットデータ信号は、受信部２０２を介して、パケットデータとして、制御部１０９に送られる。制御部１０９は、自装置のアドレス情報を保持している。そして、制御部１０９は、パケットデータのうち、自装置のアドレス情報が宛先情報となっているパケットデータを取得し、所定の処理（例えば、記憶部に記憶させる処理や表示部に表示させる処理など）を行う。
【００９７】
また、第１移動端末２のアンテナ２００は、報知チャネルを介して、報知チャネル信号を取得する。報知チャネル信号は、信号分離部２０３等を介して、計測部２０４に送られる。計測部２０４は、送られた報知チャネル信号に基づいて、報知チャネル信号の電力値（強度）を計測する（Ｓ１０）。そして、計測部２０４は、計測した報知チャネル信号の電力値を、報知チャネル信号に与えられた基地局識別情報と対応づける。
ここで、各基地局１から報知チャネル信号が送信されてくるタイミングは、ほぼ同じであるとする。このため、計測部２０４は、移動端末２の周辺の通信エリアの基地局１から報知チャネル信号をほぼ同じタイミングで取得することになる。そして、計測部２０４は、最も大きい報知チャネル信号の電力値と、２番目に大きい報知チャネル信号の電力値を第１算出部２０５に送る。
【００９８】
ここでは、計測部２０４は、第１基地局１からの報知チャネル信号の電力値と、第２基地局１からの報知チャネル信号の電力値を第１算出部２０５に送ることになる。そして、計測部２０４は、送られてきた報知チャネル信号について、一定間隔（各報知チャネル信号が送られてきたタイミング間隔）おきに、上述の処理を行う。
【００９９】
第１算出部２０５は、制御部１０９から送られた第１送出基地局識別情報（第１基地局の識別情報）を取得する。そして、第１算出部２０５は、計測部２０４から送られた２つの電力値に対応づけられている２つの第２送出基地局識別情報を取得する。そして、第１算出部２０５は、計測部２０４から送られてきた２つの電力値に基づいて、第１送出基地局識別情報と一致する第２送出基地局識別情報に対応する第１電力値を基準にしたときの他の第２送出基地局識別情報に対応する第２電力値の程度を示す電力程度値を算出する（Ｓ２０）。そして、第１算出部２０５は、算出した電力程度値を電力程度値判定部２０６に送る。
【０１００】
電力程度値判定部２０６は、第１算出部２０５から送られた電力程度値が、第１の所定の電力程度値よりも大きいか否かを判定する（Ｓ３０）。電力程度値判定部２０６が小さいと判定した場合、処理は、ステップＳ１０へ移行する。電力程度値判定部２０６が大きいと判定した場合、電力程度値判定部２０６は、第１算出部２０５から送られた電力程度値が、第２の所定の電力程度値よりも大きいか否かを判定する（Ｓ４０）。電力程度値判定部２０６が小さいと判定した場合、電力程度値判定部２０６は、その旨を示す第１判定情報を制御部１０９に送る。
【０１０１】
制御部１０９は、記憶部２０７にアクセスして、既に第１判定情報が記憶されているか否かを判定する（Ｓ４５）。制御部１０９が、既に第１判定情報が記憶されていると判定した場合、処理はステップＳ１０の処理へ移行する。制御部１０９が、既に第１判定情報が記憶されていないと判定した場合、制御部１０９は、第１判定情報を記憶部２０７に記憶させる（Ｓ５０）。このステップＳ５０の処理は、図６において、例えば、第１移動端末２がＸの位置に存在するときに行われる。ステップＳ５０の処理の後、処理は、ステップＳ１０の処理へ移行する。
【０１０２】
一方、電力程度値判定部２０６が第１算出部２０５から送られた電力程度値が、第２の所定の電力程度値よりも大きいと判定した場合、電力程度値判定部２０６は、第１算出部２０５から送られた電力程度値が、第３の所定の電力程度値よりも大きいか否かを判定する（Ｓ６０）。
【０１０３】
電力程度値判定部２０６が小さいと判定した場合、電力程度値判定部２０６は、その旨を示す第２判定情報を制御部１０９に送る。制御部１０９は、既に優先送信要求を生成し、送信部２０８に送っているか否かを判定する（Ｓ７０）。
【０１０４】
制御部１０９が、既に優先送信要求を生成し、送信部２０８に送っていると判定した場合、処理はステップＳ１０の処理へ移行する。制御部１０９が、まだ優先送信要求を生成していないと判定した場合、制御部１０９は、優先送信要求を生成し、送信部２０８に送る。送信部２０８は、サーキュレータ等を介して、優先送信要求を第１基地局に送信する（Ｓ８０）。このステップＳ８０の処理は、図６において、例えば、第１移動端末２がＹの位置に存在するときに行われる。ステップＳ８０の処理の後、処理は、ステップＳ１０の処理へ移行する。
【０１０５】
電力程度値判定部２０６が、第１算出部２０５から送られた電力程度値が、第３の所定の電力程度値よりも大きいと判定した場合、その旨を示す第３判定情報が制御部１０９に送られる。制御部１０９は、ハンドオーバーが完了した旨を送信部２０８等を介して、第２基地局に送信する（Ｓ９０）。このＳ９０の処理は、図６において、例えば、第１移動端末２がＺの位置に存在するときに行われる。
【０１０６】
（３）第１移動端末から送信された優先送信要求が第１基地局に送られた場合の第１基地局及び第１移動端末の処理
図７は、第１基地局から各移動端末のパケットデータを送信する処理を説明するためのフローチャート図である。
【０１０７】
上記優先送信要求は、アンテナ１００等を介して、第１基地局１の制御部１０９に送られる（Ｓ１００）。第１基地局の制御部１０９は、優先送信要求に基づいて、優先指示情報をキュー制御部１０４に送る。キュー制御部１０４は、制御部１０９から優先指示情報を取得した場合、優先指示情報に対応づけられた第１移動端末のアドレス情報を取得する。そして、キュー制御部１０４は、上記第１移動端末のアドレス情報に対応するキューから、優先してパケットデータを取得した後、他のキューから順番にパケットデータを取得する（Ｓ１１０）。
【０１０８】
キュー制御部１０４は、取得したパケットデータを、取得した順序に従って、送信先判定部１０５に送る。送信先判定部１０５は、符号化部１０６ａ等を介して、送られたパケットデータを第１送信バッファに送る。第１送信バッファ（移動端末側送信部１０６）は、パケットデータを、送られてきた順序に従って、サーキュレータ等を介して、各移動端末２に送る（Ｓ１２０）。これにより、第１移動端末２宛のパケットデータは、他の移動端末２（第２移動端末という）よりも優先して先に第１移動端末に送信されることになる。
【０１０９】
図８は、第１基地局からパケットデータが送られてきたときの第１移動端末の処理を説明するためのフローチャート図である。
【０１１０】
第１移動端末では、パケットデータ信号が受信部２０２等を介して、パケットデータとして、制御部１０９に送られる（Ｓ１２１）。そして、制御部１０９は、パケットデータのうち、自装置のアドレス情報が宛先情報となっているパケットデータを取得する。そして、制御部１０９は、第１基地局から、１つのパケットデータを取得した場合、取得したことを取得する旨を示す取得情報を生成する（Ｓ１２２）。
【０１１１】
そして、制御部１０９は、取得情報を送信部２０２に送る。送信部２０２は、取得信号を、アンテナ２００等を介して、第１基地局１の制御部１０９に送信する（Ｓ１２３）。
【０１１２】
図９は、第１移動端端末宛のパケットデータを第１移動端末宛に送信した後の第１基地局の処理を説明するためのフローチャート図である。
【０１１３】
なお、第１基地局の第１送信バッファは、サーキュレータ１０１に、パケットデータを送るとともに、パケットデータに対応づけられた宛先の移動端末アドレス情報を制御部１０９に送る。制御部１０９は、送られてきた移動端末のアドレス情報のうち、優先送信要求に対応する第１移動端末のアドレス情報を取得した時刻を送出時刻として、取得する。
【０１１４】
そして、第１基地局１の制御部１０９は、上述した送出時刻から一定時間内に、取得信号を取得したか否かを判定する（Ｓ１３５）。送出時刻から一定時間内に、移動端末側受信部１０２から取得信号を取得したと判定された場合には、制御部１０９は、送信先判定部１０５に対して、特に指示情報を与えない。そして、処理は、ステップＳ１６０の処理へ移行する。
【０１１５】
一方、送出時刻から一定時間内に、移動端末側受信部１０２から取得信号を取得しなかったと判定された場合には、制御部１０９は、以下の処理を行う。制御部１０９は、優先送信要求に対応づけられた第１移動端末のアドレス情報、第２基地局の識別情報を取得する。そして、制御部１０９は、送信先判定部１０５に対して、以下の転送指示情報を送る（Ｓ１５０）。この転送指示情報とは、送信先判定部１０５に対して、第１移動端末２宛のパケットデータを、第２基地局１識別情報が示す第２基地局１宛に転送するように指示する情報である。そして、処理は、ステップＳ１６０の処理へ移行する。
【０１１６】
ステップＳ１６０では、送信先判定部１０５は、転送指示情報を取得したか否かを判定する。送信先判定部１０５が転送指示情報を取得していないと判定した場合、送信先判定部１０５は、キュー制御部１０４から送られてきたパケットデータをそのまま移動端末側送信部１０６へ送る（Ｓ１７０）。この際、送信先判定部１０５は、キュー制御部１０４から送られた順序に従って、パケットデータを移動端末側送信部１０６に送る。その後、処理は、ステップＳ１３５の処理へ移行する。
【０１１７】
送信先判定部１０５が、制御部１０９から転送指示情報を取得したと判定した場合、転送指示情報に基づいて、送られてきたパケットデータの宛先アドレス情報が、転送指示情報に含まれる第１移動端末のアドレス情報と一致するか否かを判定する（Ｓ１８０）。
【０１１８】
一致すると判定した場合、送信先判定部１０５は、パケットデータに対して、第２基地局の識別情報を与える。そして、送信先判定部１０５は、上記パケットデータを制御局側送信部１０８に送る（Ｓ１９０）。制御局側送信部１０８は、上記パケットデータを制御局を介して、第２基地局に送信する。その後、処理は、ステップＳ１９７の処理へ移行する。
【０１１９】
一方、一致しないと判定した場合、送信先判定部１０５は、上記パケットデータをそのまま移動端末側送信部１０６に送る（Ｓ１９５）。その後、処理は、ステップＳ１９７の処理へ移行する。
【０１２０】
ステップＳ１９７では、キュー制御部１０４は、第１移動端末に対応するキューから全てパケットデータを取得したか否かを判定する。取得したと判定した場合には、その旨が制御部１０９に送られる。制御部１０９は、転送指示情報の解除の旨を送信先判定部１０５に送る（Ｓ２００）。一方、取得していない判定した場合には、処理は、ステップＳ１８０の処理へ移行する。
【０１２１】
（作用効果）
本実施の形態によれば、ある第１移動端末が第１基地局の通信エリアから第２基地局の通信エリアへ移動中に、通信相手を第１基地局から第２基地局に切り替える場合（ハンドオーバー）、第１移動端末の第１算出部２０５は、以下の処理を行う。即ち、第１算出部２０５は、計測部２０４により計測された第１基地局からの信号（報知チャネル信号）の強度と、第２基地局からの信号の強度とに基づいて、第１基地局からの信号の強度を基準にした第２基地局からの信号の強度の程度を示す電力程度値（強度程度値）を算出する。
【０１２２】
そして、第１移動端末の電力程度値判定部２０６は、第２の所定の電力程度値より、第１算出部２０５により算出された電力程度値が大きいか否かを判定する。そして、第２の所定の電力程度値より、第１算出部２０５により算出された電力程度値が大きいと判定された場合、第１移動端末の送信部２０８は、優先送信要求を第１基地局宛に送信する。
【０１２３】
第１基地局の制御部１０９は、優先送信要求を取得すると、優先指示情報をキュー制御部１０４に送る。第１基地局のキュー制御部１０４は、優先指示情報に基づいて、第１移動端末以外の移動端末である第２移動端末宛のパケットデータより、第１移動端末宛のパケットデータを優先して、キューから取得する。そして、第１基地局の移動端末側送信部１０６は、キュー制御部１０４により取得された順序に従って、各移動端末にパケットデータを送信する。即ち、移動端末側送信部１０６は、第２移動端末に優先して、第１移動端末にパケットデータを送信する。
【０１２４】
ここで、第２の所定の電力程度値が、第１基地局からの信号の強度と、第２基地局からの信号の強度とが同程度であり、第１移動端末がハンドオーバーを開始することを示す値に設定されれば、以下のような効果が得られる。
【０１２５】
第１基地局が保持している第１移動端末宛のパケットデータは、第２移動端末に対して優先的に第１移動端末に送られる。この結果、第１移動端末が、通信相手を第１基地局から第２基地局に切り替えるまでの間に、第１基地局が保持している第１移動端末宛のパケットデータは、第１移動端末に優先的に送信されるので、第１基地局が保持する第１移動端末宛のパケットデータが迅速に第１移動端末に送られることになる。
【０１２６】
これにより、上記パケットデータが、大きな遅延が許されないリアルタイムパケットデータであった場合でも、第１移動端末にリアルタイムパケットデータが迅速に送信される。このため、本移動通信システムは、大きな遅延が許されないデータ通信に都合がよい。また、これにより、第１基地局が保持する第１移動端末宛のパケットデータが第１移動端末に送信されない事態（パケットロス）の減少が可能である。
【０１２７】
この結果、第１移動端末宛のパケットデータが、第２基地局宛に転送される必要がない。これにより、第１移動端末へのパケットデータが遅れて送信されるという事態が解消されることになる。また、ハンドオーバーを行う第１移動端末宛のパケットデータが優先して、第１移動端末宛に送信されるので、上記第１移動端末に送信されるデータ通信品質（遅延品質など）が、従来技術に比べて向上する。
【０１２８】
従って、本実施の形態の移動通信システムにおいては、第１移動端末がハンドオーバーを行う際に、第１基地局が保持する第１移動端末宛のパケットデータが第１移動端末に送信されない事態を防ぐことができるとともに、第１移動端末宛のデータが第１移動端末に迅速に送信されることが可能となる。
【０１２９】
また、本実施の形態では、第１移動端末の送信部２０８は、制御部２０９（パケット取得部）によりパケットデータが取得されたことを示す取得信号を第１基地局に送信する。そして、第１基地局の制御部１０９は、送信部２０８（第１送信バッファ）が第１移動端末宛にパケットデータを送信してから一定時間以内に取得信号が送られてきた場合には、上記取得信号を取得する。
【０１３０】
そして、制御部１０９が取得信号を一定時間以内に取得できない場合、送信部２０８は、送信予定の第１移動端末宛のパケットデータを、直接、第１移動端末に送信しないで、制御局を介して、第２基地局宛に送信する。
【０１３１】
例えば、第１移動端末が高速で移動している場合においては、第１基地局が保持するパケットデータを全て、第１移動端末に送信できないことがある。そして、このような場合、第１基地局は、第１移動端末から取得信号を所定時間内に取得できた場合には、パケットデータを第１移動端末に送信する。
【０１３２】
一方、第１基地局が、第１移動端末から取得信号を所定時間内に取得できなかった場合は、第１移動端末が通信相手を第２基地局に切り替えた場合に相当するといえる。このため、第１基地局が、第１移動端末から取得信号を所定時間内に取得できなかった場合、第１基地局は、パケットデータを第１移動端末ではなく、制御局を介して、第２基地局に送信する。
【０１３３】
これにより、第１移動端末が高速で移動して、通信相手を第２基地局に切り替えてしまった後でも、第１移動端末宛のパケットデータは、第２基地局を介して第１移動端末に送信される。このため、第１移動端末宛のパケットデータが第１移動端末に送信されないという事態の解消が可能である。
【０１３４】
これにより、本実施の形態の移動通信システムにおいては、高速で移動する第１移動端末がハンドオーバーを行う際に、第１基地局が保持する第１移動端末宛のパケットデータが第１移動端末に送信されない事態を防ぐことができるとともに、第１移動端末宛のデータが第１移動端末に迅速に送信されることが可能となる。
【０１３５】
（変更例１）
本変更例においては、優先送信要求を基地局１に送信した移動端末２は、第１移動端末２といい、上記基地局１の通信エリア内に存在し上記基地局１と通信を行う移動端末２のうち、上記第１移動端末２以外の移動端末２を第２移動端末２という。
【０１３６】
移動端末側送信部１０６（第２送信部）は、優先送信要求に基づいて、第２移動端末宛のパケットデータを第２移動端末に送信する処理に優先して、第１移動端末宛のパケットデータを第１移動端末に送信する処理に、移動端末側送信部１０６が有する送信リソースを割り当てる。
【０１３７】
（１）上記送信リソースとしては、移動端末側送信部１０６がパケットデータを各移動端末２に送信するために必要なタイムスロットがある。この場合の説明は、以下のとおりである。移動端末側送信部１０６は、データ多重化部（図示せず）を有する。データ多重化部の具体的な処理は、以下のとおりである。なお、データ送信は、例えば、ＨＳＤＰＡによる送信方式により行われる。
【０１３８】
（Ａ）データ多重化部は、基地局１との間でデータ通信チャネルを確立している移動端末アドレス情報をキュー制御部１０４から取得し保持する。ここでは、移動端末アドレス情報が複数ある場合の説明を以下に行う。そして、データ多重化部は、符号化部１０６ａから送られたパケットデータを取得する。そして、データ多重化部は、保持している複数の移動端末アドレス情報に対応するパケットデータを取得したか否かを判定する。
【０１３９】
データ多重化部は、上記複数の移動端末アドレス情報に対応するパケットデータを取得した場合には、各パケットデータを、タイムスロット単位に分割する。そして、データ多重化部は、分割したパケットデータである分割パケットデータを、移動端末２ごとにいったん保持する。そして、データ多重化部は、移動端末２ごとの分割パケットデータを１つずつ順番にタイムスロットに割り当てていくことにより、分割パケットデータを多重化する。
【０１４０】
具体的には、移動端末Ｔ１宛のパケットデータ１、移動端末Ｔ２宛のパケットデータ２．．がある場合には、データ多重化部は、各パケットデータをタイムスロット単位に分割する。そして、データ多重化部は、移動端末Ｔ１宛の分割パケットデータＴ１１、Ｔ１２，．．、移動端末Ｔ２宛の分割パケットデータＴ２１、Ｔ２２，．がある場合において、タイムスロット１に、分割パケットデータＴ１１、タイムスロット２に、分割パケットデータＴ２１．．のようにして割り当てていくことにより、分割パケットデータを多重化する。
【０１４１】
そして、データ多重化部は、多重化した分割パケットデータを変調部１０６ｂに送る。この際、データ多重化部は、各移動端末２に割り当てられたタイムスロット情報を分割パケットデータの先頭に付加する。
【０１４２】
各移動端末２の受信バッファ２０２ａは、分割パケットデータの先頭に付加されたタイムスロット情報を取得する。そして、例えば、タイムスロット情報が、移動端末Ｔ１には、タイムスロット１，６，．．が割り当てられている旨を示す場合、移動端末Ｔ１の受信バッファ２０２ａは、タイムスロット１，６．．．のタイミングで、分割パケットデータを受信するように設定する。そして、受信バッファ２０２ａは、上記タイミングで、分割パケットデータを取得し、復調部２０２ｂに送っていく。
【０１４３】
（Ｂ）次に、優先送信要求を取得した制御部１０９は、優先送信要求に対応づけられた移動端末２に割り当てるタイムスロットを優先的に多くするように指示する優先割り当て指示情報をデータ多重化部に送る。この際、優先割り当て指示情報には、上記移動端末アドレス情報も含まれている。
【０１４４】
データ多重化部は、優先割り当て指示情報を取得した場合、既に多重化した分割パケットデータを変調部１０６ｂに送る。その後、データ多重化部は、上記移動端末宛のパケットデータが全て送られてくるまで待機する。そして、データ多重化部は、上記移動端末宛のパケットデータが全て送られてきた場合、各パケットデータを、タイムスロット単位に分割する。そして、データ多重化部は、送られてきた順序に従って、分割パケットデータにタイムスロットに割り当てていくことにより、分割パケットデータを多重化する。
【０１４５】
具体的には、優先送信要求に対応づけられた移動端末Ｔ３宛のパケットデータ１、２，３がある場合には、データ多重化部は、各パケットデータをタイムスロット単位に分割する。そして、データ多重化部は、移動端末Ｔ３宛の分割パケットデータＴ３１、Ｔ３２，．に対して、タイムスロットＮ１に、分割パケットデータＴ３１、タイムスロットＮ２に、分割パケットデータＴ３２．．のようにして割り当てていくことにより、分割パケットデータを多重化する。
【０１４６】
そして、データ多重化部は、多重化した分割パケットデータを変調部１０６ｂに送る。この際、データ多重化部は、各移動端末２に割り当てられたタイムスロット情報を分割パケットデータの先頭に付加する。
【０１４７】
各移動端末２の受信バッファ１０２ａは、分割パケットデータの先頭に付加されたタイムスロット情報を取得する。そして、例えば、タイムスロット情報が、移動端末Ｔ３には、タイムスロットＮ１，Ｎ２．，．が割り当てられている旨である場合、移動端末Ｔ３の受信バッファ１０２ａは、タイムスロットＮ１，Ｎ２．．のタイミングで、分割パケットデータを受信するように設定する。そして、受信バッファ１０２ａは、上記タイミングで、分割パケットデータを取得し、復調部に送っていく。
【０１４８】
（Ｃ）そして、データ多重化部は、上記移動端末Ｔ３宛の多重化された分割パケットデータを変調部１０６ｂに送った後、基地局１との間でデータ通信チャネルを確立している移動端末２アドレス情報をキュー制御部１０４から取得し保持する。これ以降、上述した（Ａ）の処理が行われる。
【０１４９】
上述のようにして、例えば、１〜９スロットまでは、移動端末Ｔ１〜Ｔ５宛のパケットデータに対して（Ａ）の処理が行われ、１０〜１３スロットまでは、移動端末Ｔ３のパケットデータに対して（Ｂ）の処理が行われ、１４スロット以降は、移動端末Ｔ１，Ｔ２，Ｔ４，Ｔ５に対して（Ａ）の処理が再び行われた場合、多重化された分割パケットデータの構成は、図１０に示す構成となる。
【０１５０】
（２）また、上記送信リソースとしては、移動端末側送信部１０６がパケットデータを各移動端末２に送信するために必要な拡散符号情報がある。この場合の説明は、以下のとおりである。
【０１５１】
（Ａ）基地局１の移動端末側送信部１０６は、拡散処理部（図示せず）を有する。各移動端末２の送信部２０８は逆拡散処理部（図示せず）を有する。基地局１の拡散処理部は、基地局１との間でデータ通信チャネルを確立している移動端末アドレス情報をキュー制御部１０４から取得し保持する。拡散処理部は、各移動端末アドレス情報と拡散符号情報との対応関係を保持する。そして、拡散処理部は、送信バッファ１０６ｃ等を介して、各移動端末２に割り当てられた拡散符号情報を示す信号を、各移動端末２に送る。各移動端末２の逆拡散処理部は、自分宛に割り当てられた拡散符号情報を保持する。
【０１５２】
そして、拡散処理部は、変調部１０６ｂから送られたパケットデータを取得する。そして、拡散処理部は、保持している複数の移動端末アドレス情報に対応するパケットデータを所定の数、取得したか否かを判定する。
【０１５３】
拡散処理部は、上記複数の移動端末アドレス情報に対応するパケットデータを所定数、取得した場合には、各移動端末アドレス情報に対応する拡散符号情報を取得する。そして、拡散処理部は、所定数のパケットデータに対して、上記パケットデータに対応する拡散符号情報を用いて拡散処理を行う。拡散処理部は、拡散符号情報ごとに、上述の処理を行う。そして、拡散処理部は、拡散処理を行った所定数のパケットデータを、多重化する。そして、拡散処理部は、多重化した所定数のパケットデータを、送信バッファ１０６ｃ等を介して、各移動端末２に送る。
【０１５４】
多重化された所定数のパケットデータは、各移動端末２の受信バッファ２０２ａ等を介して、逆拡散処理部に送られる。逆拡散処理部は、保持している拡散符号情報に基づいて、多重化された所定数のパケットデータに対して、逆拡散処理を行う。そして、逆拡散処理部は、逆拡散処理した所定数のパケットデータを復調部２０２ｂに送る。
【０１５５】
（Ｂ）次に、優先送信要求を取得した制御部１０９は、優先送信要求に対応づけられた移動端末２に割り当てる拡散符号情報を優先的に多くするように指示する優先割り当て指示情報を拡散処理部に送る。この際、優先割り当て指示情報には、上記移動端末アドレス情報も含まれている。
【０１５６】
拡散処理部は、優先割り当て指示情報を取得した場合、既に多重化した所定数のパケットデータを送信バッファ１０６ｃに送る。そして、拡散処理部は、上記移動端末宛のパケットデータが全て送られてくるまで待機する。この際、拡散処理部は、上記移動端末に対して、新たな拡散符号情報を割り当てる。そして、拡散処理部は、送信バッファ１０６ｃ等を介して、上記移動端末２に割り当てられた新たな拡散符号情報を示す信号を、上記移動端末２に送る。上記移動端末２の逆拡散処理部は、上記新たな拡散符号情報を保持する。
【０１５７】
そして、拡散処理部は、上記移動端末宛のパケットデータが全て送られてきた場合、拡散処理部は、上記移動端末アドレス情報に対応する複数の拡散符号情報を取得する。そして、拡散処理部は、上記移動端末宛の所定数のパケットデータに対して、上記複数の拡散符号情報のうち、１つを用いて拡散処理を行う。そして、拡散処理部は、上記移動端末宛の所定数のパケットデータに対して、拡散符号情報ごとに、上述の処理を行う。
【０１５８】
そして、拡散処理部は、拡散処理を行った所定数のパケットデータを、多重化する。そして、拡散処理部は、多重化した所定数のパケットデータを、送信バッファ１０６ｃ等を介して、各移動端末２に送る。
【０１５９】
多重化された所定数のパケットデータは、各移動端末２の受信バッファ１０２ａ等を介して、逆拡散処理部に送られる。逆拡散処理部は、保持している拡散符号情報に基づいて、多重化された所定数のパケットデータに対して、逆拡散処理を行う。この場合、優先送信要求を送信した移動端末２の逆拡散処理部だけがパケットデータを復調部１０２ｂに送ることになる。
【０１６０】
（Ｃ）そして、拡散処理部は、上記移動端末２宛の多重化された所定数のパケットデータを送信バッファ１０６ｃに送った後、基地局１との間でデータ通信チャネルを確立している移動端末２アドレス情報をキュー制御部１０４から取得し保持する。これ以降、上述した（Ａ）の処理が行われる。但し、移動端末２に割り当てられた拡散符号情報を示す信号が、既に移動端末２に送られている場合には、拡散符号情報は、上記移動端末２に送られない。
【０１６１】
なお、基地局１の拡散処理部は、上記移動端末２宛の多重化された所定数のパケットデータを送信バッファ１０６ｃに送った後、上記移動端末２に割り当てた拡散符号情報は、上記移動端末２へ割り当てないようにする。そして、移動端末２の逆拡散処理部も、保持している複数の拡散符号情報に対応する所定数のパケットデータを復調部１０２ｂに送った後、拡散符号情報の保持を解除する。
【０１６２】
本変更例によれば、第１基地局の移動端末側送信部１０６は、第２移動端末宛のパケットデータを第２移動端末に送信する処理に優先して、第１移動端末宛のパケットデータを第１移動端末に送信する処理に、送信部１０６が有する送信リソースを割り当てている。このため、実施の形態１に比べて、第１移動端末がハンドオーバーを行う場合において、第１基地局が保持する上記移動端末宛のデータが，一層迅速に第１移動端末に送信されることが可能となる。
【０１６３】
（変更例２）
実施の形態１、変更例１では、１つの第１移動端末から、基地局宛に優先送信要求が送信された場合の説明が行われた。しかし、実際には、複数の第１移動端末２が第１基地局１から第２基地局１に通信相手を切り替えることもある。このような場合、複数の移動端末２から、１つの基地局宛に優先送信要求が送信されることもある。
【０１６４】
この際、複数の第１移動端末宛のパケットデータについては、遅延が許されるパケットデータもあれば、遅延が許されないパケットデータも存在する。
【０１６５】
本変更例は、このような場合において、第１基地局が保持する複数の第１移動端末宛のパケットデータが第１移動端末２に送信されない事態を防ぐとともに、第１移動端末宛のパケットデータが上記第１移動端末に到着するのが遅れてしまうという事態を防ぐ移動通信システムを提供する。なお、本変更例において、実施の形態１，変更例１の構成、処理と同一構成、処理については、その説明が省略される。
【０１６６】
各移動端末２の制御部１０９は、データ通信品質要求を送信部２０８等を介して、通信相手の基地局１（以下、本変更例、後述する変更例３では、第１基地局という）に送信する。このデータ通信品質要求には、送信元の移動端末アドレス情報が与えられている。また、このデータ通信品質とは、いわゆるＱｏＳのことである。本変更例では、ＱｏＳの一例として、パケットデータの到着が遅れる時間を示す平均パケット遅延時間を用いた説明が行われる。平均パケット遅延時間の要求とは、パケットデータの到着が遅れる時間は、上記平均パケット遅延時間以内にしたいという要求である。
【０１６７】
各移動端末２から送られたデータ通信品質要求は、基地局１の移動端末側受信部１０２を介して、制御部１０９へ送られる。制御部１０９は、データ通信品質要求を移動端末アドレス情報と対応づけて取得する。
【０１６８】
そして、複数の移動端末２から優先送信要求が第１基地局宛に送信される。第１基地局の制御部１０９は、複数の優先送信要求を取得した場合、各優先送信要求に対応する移動端末アドレス情報を取得する。そして、制御部１０９は、取得した移動端末アドレス情報に対応するデータ通信品質要求を取得する。そして、制御部１０９は、取得したデータ通信品質要求に対応するパケット記憶時間を、基準パケット記憶時間として、移動端末２ごとに、算出する機能を有する。
【０１６９】
制御部１０９の算出機能の具体的な処理の一例は、以下のとおりである。例えば、平均パケット遅延時間の５０％は、パケットデータがキューに記憶されていることが許される時間（基準パケット記憶時間）であるとする。この場合、制御部１０９は、データ通信品質要求として、平均パケット遅延時間（１００ｍｓ）を取得した場合、平均パケット遅延時間の５０％である５０ｍｓを、基準パケット記憶時間として算出する。同じく、制御部１０９は、データ通信品質要求として、平均パケット遅延時間（２００ｍｓ）を取得した場合、平均パケット遅延時間の５０％である１００ｍｓを、基準パケット記憶時間として算出する。
【０１７０】
そして、制御部１０９は、基準パケット記憶時間を移動端末２ごとに算出する。制御部１０９は、算出した基準パケット記憶時間を、移動端末アドレス情報と対応づけて送信先判定部１０５に送る。
【０１７１】
キュー制御部１０４は、各キューに記憶されている１又は複数のパケットデータ（送信対象パケットデータ）の記憶時間を管理している。具体的には、キュー制御部１０４は、現在の時刻を管理している。そして、キュー制御部１０４は、パケットデータをキューに記憶させた時刻と、現在の時刻とに基づいて、パケットデータの記憶時間を管理する。また、キュー制御部１０４は、各キューに存在するパケットデータの記憶位置を管理している。
【０１７２】
そして、複数の優先送信要求を取得した制御部１０９は、複数の優先送信要求に基づいて、複数の優先指示情報をキュー制御部１０４に送るとともに、以下の処理も行う。制御部１０９は、キュー制御部１０４に対して、複数の優先送信要求に対応する移動端末アドレス情報に関連するキューの先頭位置に記憶されているパケットデータの記憶時間を計測するように指示する。この先頭位置に記憶されているパケットデータとは、キューに記憶されている複数の送信対象パケットデータのうち最初に基地局から送信されるパケットデータ（以下、送信予定パケットデータという）のことである。
【０１７３】
そして、制御部１０９は、キュー制御部１０４に対して、「上記パケットデータを送信先判定部１０５に送る場合、上記送信予定パケットデータの記憶時間も、上記パケットデータに対応づけて、送るように」指示する。また、制御部１０９は、優先送信要求に対応する第２基地局の識別情報も送信先判定部１０５に送る。
【０１７４】
キュー制御部１０４は、制御部１０９からの指示に従って、複数の優先送信要求に対応する移動端末アドレス情報に関連するキューの先頭位置に記憶されている送信予定パケットデータを、上記送信予定パケットデータの記憶時間とともに、送信先判定部１０５に送る。この際、送信予定パケットデータの記憶時間には、移動端末アドレス情報が対応づけられている。
【０１７５】
送信先判定部１０５は、各移動端末２ごとの基準パケット記憶時間を、制御部１０９から取得する。また、送信先判定部１０５は、キュー制御部１０４から、各送信予定パケットデータと、上記送信予定パケットデータの記憶時間とを取得する。
【０１７６】
そして、送信先判定部１０５は、取得した基準パケット記憶時間に対応する複数の移動端末アドレス情報に基づいて、上記複数の移動端末アドレス情報と対応づけられたパケットデータを取得したか否かを判定する。
【０１７７】
そして、送信先判定部１０５が上記パケットデータを取得したと判定した場合、送信先判定部１０５は、各送信予定パケットデータに対応するパケット記憶時間（以下、管理パケット記憶時間という）と、各基準パケット記憶時間とを各々比較する。そして、送信先判定部１０５は、比較結果に基づいて、各送信予定パケットデータを移動端末２宛に送信するか、第２基地局（制御局）に送信するか判定する。
【０１７８】
具体的には、以下のとおりである。図１１は、送信先判定部１０５による処理を説明するための補足図である。優先送信要求に対応する移動端末（ＭＳ１，ＭＳ２）のアドレス情報と関連するキューは、キューＲ１，キューＲ２であるとする。
【０１７９】
そして、キューＲ１の先頭記憶位置には、パケットデータ１、キューＲ２の先頭記憶位置には、パケットデータ２が記憶されているとする。この場合、キュー制御部１０４は、キューＲ１からパケットデータ１を取得するとともに、パケットデータ１の記憶時間（管理パケット記憶時間）も計測する。同じく、キュー制御部１０４は、キューＲ２からパケットデータ２を取得するとともに、パケットデータ２の記憶時間（管理パケット記憶時間）も計測する（Ｓ２０１）。
【０１８０】
そして、キュー制御部１０４は、パケットデータ１及び管理パケット記憶時間、パケットデータ２及び管理パケット記憶時間を送信先判定部１０５に送る。
【０１８１】
送信先判定部１０５は、キューＲ１に記憶されるパケットデータの基準パケット記憶時間１、キューＲ２に記憶されるパケットデータの基準パケット記憶時間２を保持している。そして、送信先判定部１０５は、パケットデータ１、パケットデータ２が送られてきた場合、管理パケット記憶時間と、基準パケット記憶時間との比較処理を、パケットデータ１，２ごとに行う。
【０１８２】
送信先判定部１０５は、基準パケット記憶時間に対して、管理パケット記憶時間が大きいときには、遅延余裕がないと判定する。一方、送信先判定部１０５は基準パケット記憶時間に対して、管理パケット記憶時間が小さいときには、遅延余裕があると判定する（Ｓ２１０，Ｓ２２０）。
【０１８３】
遅延余裕があるとは、パケットデータが到着した時点で、パケットデータに許された遅延時間（平均パケット遅延時間）を超えてしまう可能性があることをいう。遅延余裕がないとは、パケットデータが到着した時点で、パケットデータに許された遅延時間（平均パケット遅延時間）を超えない可能性が高いことをいう。
【０１８４】
そして、送信先判定部１０５は、最も遅延余裕がないと判定したパケットデータを、上記パケットデータに対応する移動端末２に送信すると判定し、それ以外のパケットデータを、制御局を介して、第２基地局に送信すると判定する。
【０１８５】
なお、送信先判定部１０５は、全てのパケットデータについて、遅延余裕があると判定した場合には、最も遅延余裕が少ないと判定したパケットデータを、上記パケットデータに対応する移動端末２に送信すると判定し、それ以外のパケットデータを、第２基地局１に送信すると判定する。
【０１８６】
例えば、パケットデータ１の管理パケット記憶時間１及びパケットデータ２の管理パケット記憶時間２がともに７０ｍｓであって、パケットデータ１の基準パケット記憶時間１が５０ｍｓ、パケットデータ２の基準パケット記憶時間２が１００ｍｓのとき、送信先判定部１０５は、パケットデータ１については、遅延余裕がないと判定し、パケットデータ２については、遅延余裕があると判定する。
【０１８７】
送信先判定部１０５は、移動端末宛に送信すると判定したパケットデータを、移動端末側送信部１０６に送る。また、送信先判定部１０５は、第２基地局１（制御局）に送信すると判定したパケットデータについては、制御局側送信部１０８に送る。この際、送信先判定部１０５は、第２基地局１に送信すると判定したパケットデータに対して、第２基地局１を介して、移動端末２宛に送信されるように指示する旨を付与する。
【０１８８】
なお、送信先判定部１０５は、優先送信要求に対応づけられていない移動端末２宛のパケットデータは、移動端末２に送信すると判定し、そのまま、移動端末側送信部１０６へ送る。また、キュー制御部１０４は、優先送信要求に対応する複数のキューの先頭記憶位置から送信予定パケットデータをそれぞれ取得した後、優先送信要求に対応しないキューの先頭記憶位置から、送信予定パケットデータを取得する。
【０１８９】
例えば、キュー制御部１０４は、優先送信要求に対応するキューＲ１，Ｒ２の先頭記憶位置から送信予定パケットデータ１、２をそれぞれ取得した後、他のキューＲ３の先頭記憶位置から送信予定パケットデータ３を取得する。その後、キュー制御部１０４は、優先送信要求に対応するキューＲ１，Ｒ２の先頭記憶位置から送信予定パケットデータ１、２をそれぞれ取得するようにしてもよい。
【０１９０】
また、キュー制御部１０４は、先ず、優先送信要求に対応する複数のキューＲ１，Ｒ２の先頭記憶位置から送信予定パケットデータ１，２をそれぞれ取得する。その後、キュー制御部１０４は、上記複数のキューＲ１、Ｒ２に存在する全てのパケットデータを優先的に取得し、上記キューＲ１，Ｒ２に記憶されているパケットデータがなくなったら、優先送信要求に対応しないキューＲ３の先頭記憶位置から、送信予定パケットデータを取得するようにしてもよい。
【０１９１】
その後、実施の形態１の移動通信方法（３）で示したステップＳ１２０の処理が行われる。なお、本変更例においても、実施の形態１の移動通信方法（１）の処理、（２）の処理、（３）におけるＳ１０〜Ｓ９０の処理、Ｓ１２１〜Ｓ１２３の処理、Ｓ１３５〜Ｓ２００の処理が行われる。
【０１９２】
なお、第１基地局から第２基地局にパケットデータを送る場合、先ず、制御局側送信部１０８は、第２基地局にその旨を送信する。そして、制御局側受信部１０７が、第２基地局からの応答信号を取得した場合、制御局側送信部１０８は、パケットデータを第２基地局宛に送信する。
【０１９３】
変更例２によれば、第１基地局の制御部１０９は、通信エリア内の各移動端末から、データ通信品質の要求を取得する。そして、制御部１０９は、複数の優先送信要求を取得する。そして、制御部１０９は、複数の優先送信要求にそれぞれ対応する移動端末（第１移動端末という）から取得したデータ通信品質の要求に基づいて、基準パケット記憶時間を、第１移動端末ごとに、算出する。
【０１９４】
そして、送信先判定部１０５は、キュー制御部１０４から、複数の第１移動端末にそれぞれ対応するキューに記憶されている送信予定パケットデータについての管理パケット記憶時間を、第１移動端末と対応づけて、取得する。そして、送信先判定部１０５は、複数の第１移動端末に対応する管理パケット記憶時間と、複数の第１移動端末に対応する基準パケット記憶時間とを各々比較し、比較結果に基づいて、複数の第１移動端末のうち所定の第１移動端末に、送信予定パケットデータを送信すると判定するとともに、複数の第１移動端末のうち前記所定の第１移動端末以外の第１移動端末宛の送信予定パケットデータを、制御局を介して第２基地局に送信することを判定する。
【０１９５】
例えば、送信先判定部１０５は、上記比較結果に基づいて、パケットデータについて遅延余裕があるか否かを判定する。そして、送信先判定部１０５は、最も遅延余裕がないか、遅延余裕が少ないパケットデータについては、第１移動端末に送信すると判定するとともに、その他のパケットデータについては、制御局又は第２基地局に送信すると判定する。
【０１９６】
これにより、遅延余裕がない又は遅延余裕が少ないパケットデータ（例えば、リアルタイムパケットデータ）は、迅速に第１移動端末に送信される。一方、遅延余裕があるパケットデータは、制御局、第２基地局を介して第１移動端末に送信されることになる。
【０１９７】
この結果、遅延余裕がない第１移動端末宛のパケットデータが、第２基地局宛に転送されることがないので、遅延余裕がないパケットデータが、第１移動端末に迅速に送信されないという事態が解消される。また、遅延余裕がある第１移動端末宛のパケットデータが、第２基地局を介して、第１移動端末に送信されても、遅延が生じる可能性が少ない。
【０１９８】
また、ハンドオーバーを行う第１移動端末宛のパケットデータが優先して、第１移動端末宛に送信されるので、上記第１移動端末に送信されるデータ通信品質が、従来技術に比べて向上する。
【０１９９】
これにより、本実施の形態の移動通信システムにおいては、複数の第１移動端末がハンドオーバーを行う際に、第１基地局が保持する複数の第１移動端末宛のパケットデータが第１移動端末に送信されない事態を防ぐことができる。また、上記移動通信システムにおいては、第１移動端末宛のデータが第１移動端末に到着するのが遅れてしまう事態を防止することが可能となる。
【０２００】
（変更例３）
本変更例においても、第１基地局が保持する複数の第１移動端末宛のパケットデータが第１移動端末２に送信されない事態を防ぐとともに、第１移動端末宛のパケットデータが上記第１移動端末に到着するのが遅れてしまうという事態を防ぐ移動通信システムを提供する。なお、本変更例において、実施の形態１，変更例１、２の構成、処理と同一構成、処理については、その説明が省略される。
【０２０１】
本変更例においては、パケットデータには、データ通信品質要求が与えられている。このデータ通信品質は、変更例２の場合と同じ意味である。そして、複数の移動端末２から優先送信要求が第１基地局宛に送信される。第１基地局１の制御部１０９は、複数の優先送信要求を取得した場合、各優先送信要求に対応する移動端末アドレス情報を取得する。そして、制御部１０９は、取得した移動端末アドレス情報をキュー制御部１０４に送る。
【０２０２】
キュー制御部１０４は、取得した移動端末アドレス情報に対応するキューの先頭記憶位置に記憶されている送信予定パケットデータに与えられているデータ通信品質要求を取得する。そして、キュー制御部１０４は、取得したデータ通信品質要求を制御部１０９へ送る。
【０２０３】
制御部１０９は、キュー制御部１０４から送られたデータ通信品質要求を取得する。そして、制御部１０９は、データ通信品質要求に対応するパケット記憶時間を、基準パケット記憶時間として、送信予定パケットデータごとに、算出する。
【０２０４】
制御部１０９の算出機能の具体的な処理の一例は、変更例２で示したとおりである。即ち、平均パケット遅延時間の５０％は、パケットデータがキューに記憶されていることが許される時間（基準パケット記憶時間）であるとして、制御部１０９は、基準パケット記憶時間を算出する。そして、制御部１０９は、基準パケット記憶時間を送信予定パケットデータごとに算出する。制御部１０９は、算出した基準パケット記憶時間を、送信予定パケットデータと対応づけて送信先判定部１０５に送る。この際、制御部１０９は、基準パケット記憶時間に、送信予定パケットデータの宛先となる移動端末のアドレス情報を対応づける。
【０２０５】
キュー制御部１０４は、各キューに記憶されている１又は複数のパケットデータ（送信対象パケットデータ）の記憶時間を管理している。そして、複数の優先送信要求を取得した制御部１０９は、複数の優先送信要求に基づいて、複数の優先指示情報をキュー制御部１０４に送るとともに、以下の処理も行う。制御部１０９は、キュー制御部１０４に対して、複数の優先送信要求に対応する移動端末アドレス情報に対応するキューの先頭位置に記憶されている送信予定パケットデータの記憶時間を計測するように指示する。
【０２０６】
そして、制御部１０９は、キュー制御部１０４に対して、「上記パケットデータを送信先判定部１０５に送る場合、上記送信予定パケットデータの記憶時間も、上記パケットデータに対応づけて、送るように」指示する。また、制御部１０９は、優先送信要求に対応する第２基地局の識別情報も送信先判定部１０５に送る。
【０２０７】
キュー制御部１０４は、制御部１０９からの指示に従って、複数の優先送信要求に対応する移動端末アドレス情報に対応するキューの先頭位置に記憶されている送信予定パケットデータを、上記送信予定パケットデータの記憶時間とともに、送信先判定部１０５に送る。この際、送信予定パケットデータの記憶時間には、移動端末アドレス情報が対応づけられている。
【０２０８】
送信先判定部１０５は、各送信予定パケットデータごとの基準パケット記憶時間を、制御部１０９から取得する。また、送信先判定部１０５は、キュー制御部１０４から、各送信予定パケットデータと、上記送信予定パケットデータの記憶時間とを取得する。
【０２０９】
そして、送信先判定部１０５は、取得した基準パケット記憶時間に対応する複数の移動端末アドレス情報に基づいて、上記複数の移動端末アドレス情報と対応づけられたパケットデータを取得したか否かを判定する。
【０２１０】
そして、送信先判定部１０５が上記パケットデータを取得したと判定した場合、送信先判定部１０５は、各送信予定パケットデータに対応するパケット記憶時間である管理パケット記憶時間と、各基準パケット記憶時間とを各々比較する。そして、送信先判定部１０５は、比較結果に基づいて、各送信予定パケットデータを移動端末２宛に送信するか、第２基地局１に送信するか判定する。
【０２１１】
送信先判定部１０５は、基準パケット記憶時間に対して、管理パケット記憶時間が大きいときには、遅延余裕がないと判定する。一方、送信先判定部１０５は、基準パケット記憶時間に対して、管理パケット記憶時間が小さいときには、遅延余裕があると判定する。そして、送信先判定部１０５は、例えば、最も遅延余裕がないと判定したパケットデータを、上記パケットデータに対応する移動端末２に送信すると判定し、それ以外のパケットデータを、第２基地局に送信すると判定する。
【０２１２】
送信先判定部１０５は、移動端末宛に送信すると判定したパケットデータを、移動端末側送信部１０６に送る。また、送信先判定部１０５は、第２基地局に送信すると判定したパケットデータについては、制御局側送信部１０８に送る。
【０２１３】
その後、実施の形態１の移動通信方法（３）で示したステップＳ１２０の処理が行われる。なお、本変更例においても、実施の形態１の移動通信方法（１）の処理、（２）の処理、（３）におけるＳ１０〜Ｓ９０の処理、Ｓ１２１〜Ｓ１２３の処理、Ｓ１３５〜Ｓ２００の処理が行われる。
【０２１４】
変更例３によれば、第１基地局の制御部１０９は、複数の優先送信要求を取得した場合、以下の処理を行う。制御部１０９は、各キュー（複数の第１移動端末に対応するキュー）に記憶されている送信予定パケットデータに関連づけられているデータ通信品質要求を取得する。そして、制御部１０９は、データ通信品質の要求に基づいて、前記データ通信品質に対応する基準パケット記憶時間を、送信予定パケットデータごとに、算出する。
【０２１５】
そして、送信先判定部１０５は、キュー制御部１０４から、複数の第１移動端末にそれぞれ対応するキューに記憶されている送信予定パケットデータについての管理パケット記憶時間を、第１移動端末と対応づけて、取得する。そして、送信先判定部１０５は、複数の第１移動端末に対応する管理パケット記憶時間と、上記複数の第１移動端末に対応する基準パケット記憶時間とを各々比較する。そして、送信先判定部１０５は、比較結果に基づいて、所定の第１移動端末に、送信予定パケットデータを送信すると判定するとともに、所定の第１移動端末以外の第１移動端末宛の送信予定パケットデータを、制御局を介して第２基地局に送信することを判定する。
【０２１６】
本変更例においても、変更例２と同じ効果が得られる。
【０２１７】
なお、変更例２，変更例３において、変更例１を適用する場合は、以下の処理が行われる。送信先判定部１０５は、移動端末側送信部１０６にパケットデータを送ると判定した移動端末アドレス情報を制御部１０９に送る。但し、上記移動端末アドレス情報は、優先送信要求に対応する移動端末アドレス情報である。制御部１０９は、上記移動端末２にタイムスロット（又は拡散符号情報）を優先的に割り当てるように指示する優先割り当て指示情報をデータ多重化部（又は拡散処理部）に送る。
【０２１８】
なお、上述した実施の形態１、各変更例において、基地局間で同期をとる方法は、例えば、以下のように行われる。一方の基地局１の制御局側送信部１０８は、他方の基地局１との間で同期をとるための同期情報を制御局を介して、他方の基地局１に送る。他方の基地局１の制御局側受信部１０７及び制御局側送信部１０８は、同期情報に基づいて、一方の基地局１との間で同期がとれるように設定する。他方の基地局１の制御局側受信部１０７及び制御局側送信部１０８が、一方の基地局１との間で同期がとれるようになった場合、同期がとれた旨を示す情報が一方の基地局の制御部１０９に送られる。一方の基地局の制御部１０９は、制御局側送信部１０８及び制御局側送信部１０８に対して、同期が確立した旨を送る。これにより、一方の基地局と他方の基地局との間の同期が確立することとなる。その後、基地局間でデータ通信が行われる。
【０２１９】
【発明の効果】
以上説明したように、本発明によれば、パケットデータが、大きな遅延が許されないリアルタイムパケットデータであった場合でも、第１移動端末にリアルタイムパケットデータが迅速に送信される。このため、本発明は、大きな遅延が許されないデータ通信に都合がよい。また、これにより、第１基地局が保持する第１移動端末宛のパケットデータが第１移動端末に送信されない事態（パケットロス）の減少が可能である。
【０２２０】
この結果、第１移動端末宛のパケットデータが、第２基地局宛に転送される必要がない。これにより、第１移動端末へのパケットデータが遅れて送信されるという事態が解消されることになる。また、ハンドオーバーを行う第１移動端末宛のパケットデータが優先して、第１移動端末宛に送信されるので、上記第１移動端末に送信されるデータ通信品質（遅延品質など）が、従来技術に比べて向上する。
【０２２１】
従って、本発明は、第１移動端末がハンドオーバーを行う際に、第１基地局が保持する第１移動端末宛のパケットデータが第１移動端末に送信されない事態を防ぐことができる。また、本発明は、第１移動端末宛のパケットデータが第１移動端末に到着するのが遅れてしまう事態を防止できる。
【図面の簡単な説明】
【図１】実施の形態１の移動通信システムの構成を示す図である。
【図２】実施の形態１の移動端末の構成を示す図である。
【図３】実施の形態１の基地局の構成を示す図である。
【図４】実施の形態１のキュー制御部の処理を説明するための補足図である。
【図５】実施の形態１の移動通信方法の一部を説明するためのフローチャート図である。
【図６】実施の形態１の移動通信方法の一部を説明するための補足図である。
【図７】実施の形態１の移動通信方法の一部を説明するためのフローチャート図である。
【図８】実施の形態１の移動通信方法の一部を説明するためのフローチャート図である。
【図９】実施の形態１の移動通信方法の一部を説明するためのフローチャート図である。
【図１０】変更例１のデータ多重化部により多重化された分割パケットデータの構成の一例を示す図である。
【図１１】変更例２の移動通信システムの動作を説明するための補足図である。
【図１２】従来の移動通信システムの構成を示す図である。
【符号の説明】
１…基地局、１００、２００…アンテナ、１０１、２０１…サーキュレータ、１０２…移動端末側受信部、１０２ａ…受信バッファ、１０２ｂ…復調部、１０２ｃ…復号化部、１０２ｃ…復合化部、１０３…キュー部、１０３ａ，１０３ｂ、１０３ｃ…キュー、１０４…キュー制御部、１０５…送信先判定部、１０６…移動端末側送信部、１０６ａ…符号化部、１０６ｂ…変調部、１０６ｃ…送信バッファ、１０７…制御局側受信部、１０８…制御局側送信部、１０９…制御部、２００…アンテナ、２０２…受信部、２０２ａ…受信バッファ、２０２ｂ…復調部、２０２ｃ…復号化部、２０３…信号分離部、２０４…計測部、２０５…第１算出部、２０６…電力程度値判定部、２０７…記憶部、２０８…送信部、２０８ａ…符号化部、２０８ｂ…変調部、２０８ｃ…送信バッファ、２０９…制御部、３００…ホームネットワーク、３０１…外部ネットワーク、３０２…通信ネットワーク、３０３…インターネット、３１０…ＨＡ、３１１、３１３、３２１…ルータ、３１２…ＦＡ、３１３…ルータ、３２０…移動端末、３３０…ＣＮ。
【図１】
2004129070.tif 000003
【図２】
2004129070.tif 000004
【図３】
2004129070.tif 000005
【図４】
2004129070.tif 000006
【図５】
2004129070.tif 000007
【図６】
2004129070.tif 000008
【図７】
2004129070.tif 000009
【図８】
2004129070.tif 000010
【図９】
2004129070.tif 000011
【図１０】
2004129070.tif 000012
【図１１】
2004129070.tif 000013
【図１２】
2004129070.tif 000014